(57)【要約】【課題】１ｍｓ以下のＴＴＩでＰＵＣＣＨを実現する方法。【解決手段】端末装置は、１つのＳＣ−ＦＤＭＡシンボルに対応するＰＵＣＣＨで、上りリンク信号を送信する送信部と、前記ＰＵＣＣＨでの送信に対するサイクリックシフトを決定する制御部を備え、前記上りリンク信号は、前記第１の系列、および、第２の系列に基づき生成され、前記第１の系列は、第３の系列に対して第１のサイクリックシフトを適用することによって与えられ、前記第２の系列は、前記第３の系列に対して第２のサイクリックシフトを適用することによって与えられ、前記第１のサイクリックシフトの値、および、前記第２のサイクリックシフトの値は、前記ＰＵＣＣＨにおいて、ＳＲのみ、ＨＡＲＱ−ＡＣＫのみ、ＳＲおよびＨＡＲＱ−ＡＣＫのいずれが送信されるかに基づいて与えられる。【選択図】図９
2019110357.tif 000002
【特許請求の範囲】
【請求項１】
１つのＳＣ−ＦＤＭＡシンボルに対応するＰＵＣＣＨで、上りリンク信号を送信する送信部と、
前記ＰＵＣＣＨでの送信に対するサイクリックシフトを決定する制御部を備え、
前記上りリンク信号は、前記第１の系列、および、第２の系列に基づき生成され、
前記第１の系列は、第３の系列に対して第１のサイクリックシフトを適用することによって与えられ、
前記第２の系列は、前記第３の系列に対して第２のサイクリックシフトを適用することによって与えられ、
前記第１のサイクリックシフトの値、および、前記第２のサイクリックシフトの値は、前記ＰＵＣＣＨにおいて、ＳＲのみ、ＨＡＲＱ−ＡＣＫのみ、ＳＲおよびＨＡＲＱ−ＡＣＫのいずれが送信されるかに基づいて与えられる
端末装置。
【請求項２】
前記送信部は、前記上りリンク信号が送信される第１の周波数帯域とは異なる第２の周波数帯域において、前記上りリンク信号を送信する
請求項１に記載の端末装置。
【請求項３】
前記上りリンク信号は、前記ＳＲのみ、前記ＨＡＲＱ−ＡＣＫのみ、または、前記ＳＲおよび前記ＨＡＲＱ−ＡＣＫに基づいて生成される
請求項１または２に記載の端末装置。
【請求項４】
１つのＳＣ−ＦＤＭＡシンボルに対応するＰＵＣＣＨで、上りリンク信号を受信する受信部と、
前記ＰＵＣＣＨに対するサイクリックシフトを端末装置に指示する制御部を備え、
前記上りリンク信号は、前記第１の系列、および、第２の系列に基づき生成され、
前記第１の系列は、第３の系列に対して第１のサイクリックシフトを適用することによって与えられ、
前記第２の系列は、前記第３の系列に対して第２のサイクリックシフトを適用することによって与えられ、
前記第１のサイクリックシフトの値、および、前記第２のサイクリックシフトの値は、前記ＰＵＣＣＨにおいて、ＳＲのみ、ＨＡＲＱ−ＡＣＫのみ、ＳＲおよびＨＡＲＱ−ＡＣＫのいずれが送信されるかに基づいて与えられる
基地局装置。
【請求項５】
前記受信部は、前記上りリンク信号が受信される第１の周波数帯域とは異なる第２の周波数帯域において、前記上りリンク信号を受信する
請求項１に記載の端末装置。
【請求項６】
前記上りリンク信号は、前記ＳＲのみ、前記ＨＡＲＱ−ＡＣＫのみ、または、前記ＳＲおよび前記ＨＡＲＱ−ＡＣＫに基づいて生成される
請求項１または２に記載の端末装置。
【請求項７】
端末装置の通信方法であって、
前記ＰＵＣＣＨにおいて、ＳＲのみ、ＨＡＲＱ−ＡＣＫのみ、ＳＲおよびＨＡＲＱ−ＡＣＫのいずれが送信されるかに基づいて第１のサイクリックシフトの値、および、第２のサイクリックシフトの値を生成し、
第３の系列に対して前記第１のサイクリックシフトを適用することによって第１の系列を生成し、
前記第３の系列に対して前記第２のサイクリックシフトを適用することによって第２の系列を生成し、
前記第１の系列、および、前記第２の系列に基づき上りリンク信号を生成し、
１つのＳＣ−ＦＤＭＡシンボルに対応するＰＵＣＣＨで、前記上りリンク信号を送信する
通信方法。
【請求項８】
前記上りリンク信号が送信される第１の周波数帯域とは異なる第２の周波数帯域において、前記上りリンク信号を送信する
請求項７に記載の通信方法。
【請求項９】
前記ＳＲのみ、前記ＨＡＲＱ−ＡＣＫのみ、または、前記ＳＲおよび前記ＨＡＲＱ−ＡＣＫに基づいて前記上りリンク信号を生成する
請求項７または８に記載の通信方法。
【請求項１０】
端末装置に実装される集積回路であって、
１つのＳＣ−ＦＤＭＡシンボルに対応するＰＵＣＣＨで、上りリンク信号を送信する送信回路と、
前記ＰＵＣＣＨでの送信に対するサイクリックシフトを決定する制御回路を備え、
前記上りリンク信号は、前記第１の系列、および、第２の系列に基づき生成され、
前記第１の系列は、第３の系列に対して第１のサイクリックシフトを適用することによって与えられ、
前記第２の系列は、前記第３の系列に対して第２のサイクリックシフトを適用することによって与えられ、
前記第１のサイクリックシフトの値、および、前記第２のサイクリックシフトの値は、前記ＰＵＣＣＨにおいて、ＳＲのみ、ＨＡＲＱ−ＡＣＫのみ、ＳＲおよびＨＡＲＱ−ＡＣＫのいずれが送信されるかに基づいて与えられる
集積回路。
【請求項１１】
前記送信回路は、前記上りリンク信号が送信される第１の周波数帯域とは異なる第２の周波数帯域において、前記上りリンク信号を送信する
請求項１０に記載の集積回路。
【請求項１２】
前記上りリンク信号は、前記ＳＲのみ、前記ＨＡＲＱ−ＡＣＫのみ、または、前記ＳＲおよび前記ＨＡＲＱ−ＡＣＫに基づいて生成される
請求項１０または１１に記載の集積回路。
【発明の詳細な説明】
【技術分野】
【０００１】
本発明は、端末装置、基地局装置、通信方法、および、集積回路に関する。
【背景技術】
【０００２】
標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降Ｅ−ＵＴＲＡと称する）の標準化が行なわれた。
【０００３】
また、３ＧＰＰでは、ＴＴＩ（Transmission Time Interval）を従来の１ｍｓより短く設定することにより、低遅延な通信を実現する方法の検討が行われている（非特許文献１）。ＴＴＩを短く設定することにより、物理層において、信号を送信してから当該信号に対する応答が返ってくるまでの時間を示すＲＴＴ（Round Trip Time）を短縮することが
期待されている。ＲＴＴの短縮は、特にＴＣＰ(Transport Control Protocol)レイヤのスループット改善を実現することが期待されており、それによって無線通信システム全体のスループット性能改善が期待されている。
【０００４】
一方で、Ｅ−ＵＴＲＡでは、上りリンク（Uplink）において、上りリンク制御情報の送信に用いられるＰＵＣＣＨ（Physical Uplink Control CHannel）が定義されている。ま
た、ＰＵＣＣＨフォーマットとして、１ｍｓの期間内で時間方向に同一の系列を反復するＰＵＣＣＨフォーマット（PUCCH format）が定義されている（非特許文献２）。例えば、時間方向に同一の系列を反復するＰＵＣＣＨフォーマットを用いることによって、ＰＵＣＣＨの通信カバレッジ拡大を実現することができる。
【先行技術文献】
【非特許文献】
【０００５】
【非特許文献１】3rd Generation Partnership Project; Technical Specification Group Radio Access Network; Study on Latency Reduction Techniques for LTE; (Release 14) 3GPP TR 36.881 V0.6.0 (2016-3).
【非特許文献２】3rd Generation Partnership Project; Technical Specification Group Radio Access Network; Evolved Universal Terrestrial Radio Access (E-UTRA); (Release 12) 3GPP TS 36.213 V12.4.0 (2014-12).
【発明の概要】
【発明が解決しようとする課題】
【０００６】
しかしながら、１ｍｓ以下のＴＴＩでＰＵＣＣＨを実現する方法は十分に検討されていない。
【０００７】
本発明は上記の点に鑑みてなされたものであり、その目的は、上りリンクにおける通信を、効率的に行なうことができる端末装置、基地局装置、および通信方法を提供する。
【課題を解決するための手段】
【０００８】
（１）本発明の態様は、以下の手段を講じた。すなわち、本発明の第１の態様は、端末装置であって、１つのＳＣ−ＦＤＭＡシンボルに対応するＰＵＣＣＨで、上りリンク信号を送信する送信部と、前記ＰＵＣＣＨでの送信に対する送信電力を決定する制御部を備え
、前記上りリンク信号は、第１の系列、および、第２の系列に基づき生成され、前記第１の系列は、第３の系列に対して第１のサイクリックシフトを適用することによって与えられ、前記第２の系列は、前記第３の系列に対して第２のサイクリックシフトを適用することによって与えられ、前記ＰＵＣＣＨでの送信に対する送信電力は、前記第１のサイクリックシフトの値と、前記第２のサイクリックシフトの値に基づいて与えられる。
【０００９】
（２）本実施形態の第２の態様は、基地局装置であって、１つのＳＣ−ＦＤＭＡシンボルに対応するＰＵＣＣＨで、上りリンク信号を受信する受信部と、前記ＰＵＣＣＨに対する送信電力を端末装置に指示する制御部を備え、前記上りリンク信号は、第１の系列、および、第２の系列に基づき生成され、前記第１の系列は、第３の系列に対して第１のサイクリックシフトを適用することによって与えられ、前記第２の系列は、前記第３の系列に対して第２のサイクリックシフトを適用することによって与えられ、前記ＰＵＣＣＨでの送信に対する送信電力は、前記第１のサイクリックシフトの値と、前記第２のサイクリックシフトの値に基づいて与えられる。
【００１０】
（３）本実施形態の第３の態様は、端末装置に用いられる通信方法であって、第３の系列に対して第１のサイクリックシフトを適用することによって第１の系列を生成し、前記第３の系列に対して第２のサイクリックシフトを適用することによって第２の系列を生成し、第１の系列、および、第２の系列に基づき、上りリンク信号を生成し、前記第１のサイクリックシフトの値と、前記第２のサイクリックシフトの値に基づいて前記ＰＵＣＣＨでの送信電力を決定し、１つのＳＣ−ＦＤＭＡシンボルに対応するＰＵＣＣＨで、上りリンク信号を送信する。
【００１１】
（４）本実施形態の第４の態様は、端末装置に実装される集積回路であって、１つのＳＣ−ＦＤＭＡシンボルに対応するＰＵＣＣＨで、上りリンク信号を送信する送信回路と、前記ＰＵＣＣＨでの送信に対する送信電力を決定する制御回路を備え、前記上りリンク信号は、第１の系列、および、第２の系列に基づき生成され、前記第１の系列は、第３の系列に対して第１のサイクリックシフトを適用することによって与えられ、前記第２の系列は、前記第３の系列に対して第２のサイクリックシフトを適用することによって与えられ、前記ＰＵＣＣＨでの送信に対する送信電力は、前記第１のサイクリックシフトの値と、前記第２のサイクリックシフトの値に基づいて与えられる。
【００１２】
（５）本実施形態の第５の態様は、端末装置であって、１つのＳＣ−ＦＤＭＡシンボルに対応するＰＵＣＣＨで、上りリンク信号を送信する送信部と、前記ＰＵＣＣＨでの送信に対するサイクリックシフトを決定する制御部を備え、前記上りリンク信号は、前記第１の系列、および、第２の系列に基づき生成され、前記第１の系列は、第３の系列に対して第１のサイクリックシフトを適用することによって与えられ、前記第２の系列は、前記第３の系列に対して第２のサイクリックシフトを適用することによって与えられ、前記第１のサイクリックシフトの値、および、前記第２のサイクリックシフトの値は、前記ＰＵＣＣＨにおいて、ＳＲのみ、ＨＡＲＱ−ＡＣＫのみ、ＳＲおよびＨＡＲＱ−ＡＣＫのいずれが送信されるかに基づいて与えられる。
【００１３】
（６）本実施形態の第６の態様は、基地局装置であって、１つのＳＣ−ＦＤＭＡシンボルに対応するＰＵＣＣＨで、上りリンク信号を受信する受信部と、前記ＰＵＣＣＨに対するサイクリックシフトを端末装置に指示する制御部を備え、前記上りリンク信号は、前記第１の系列、および、第２の系列に基づき生成され、前記第１の系列は、第３の系列に対して第１のサイクリックシフトを適用することによって与えられ、前記第２の系列は、前記第３の系列に対して第２のサイクリックシフトを適用することによって与えられ、前記第１のサイクリックシフトの値、および、前記第２のサイクリックシフトの値は、前記ＰＵＣＣＨにおいて、ＳＲのみ、ＨＡＲＱ−ＡＣＫのみ、ＳＲおよびＨＡＲＱ−ＡＣＫのい
ずれが送信されるかに基づいて与えられる。
【００１４】
（７）本実施形態の第７の態様は、端末装置の通信方法であって、前記ＰＵＣＣＨにおいて、ＳＲのみ、ＨＡＲＱ−ＡＣＫのみ、ＳＲおよびＨＡＲＱ−ＡＣＫのいずれが送信されるかに基づいて第１のサイクリックシフトの値、および、第２のサイクリックシフトの値を生成し、第３の系列に対して前記第１のサイクリックシフトを適用することによって第１の系列を生成し、前記第３の系列に対して前記第２のサイクリックシフトを適用することによって第２の系列を生成し、前記第１の系列、および、前記第２の系列に基づき上りリンク信号を生成し、１つのＳＣ−ＦＤＭＡシンボルに対応するＰＵＣＣＨで、前記上りリンク信号を送信する。
【００１５】
（８）本実施形態の第８の態様は、端末装置に実装される集積回路であって、１つのＳＣ−ＦＤＭＡシンボルに対応するＰＵＣＣＨで、上りリンク信号を送信する送信回路と、前記ＰＵＣＣＨでの送信に対するサイクリックシフトを決定する制御回路を備え、前記上りリンク信号は、前記第１の系列、および、第２の系列に基づき生成され、前記第１の系列は、第３の系列に対して第１のサイクリックシフトを適用することによって与えられ、前記第２の系列は、前記第３の系列に対して第２のサイクリックシフトを適用することによって与えられ、前記第１のサイクリックシフトの値、および、前記第２のサイクリックシフトの値は、前記ＰＵＣＣＨにおいて、ＳＲのみ、ＨＡＲＱ−ＡＣＫのみ、ＳＲおよびＨＡＲＱ−ＡＣＫのいずれが送信されるかに基づいて与えられる。
【発明の効果】
【００１６】
この発明によれば、上りリンクにおける通信を、効率的に行なうことができる。
【図面の簡単な説明】
【００１７】
【図１】本実施形態に係る通信システムの構成例を示した図である。
【図２】本実施形態に係るＴＴＩの一例を示す図である。
【図３】本実施形態に係る下りリンクの無線フレーム構成の一例を示す概略図である。
【図４】本実施形態に係る上りリンクの無線フレーム構成の一例を示す概略図である。
【図５】本実施形態に係るＰＵＣＣＨを生成する方法の一例を示す図である。
【図６】本実施形態に係るＤＭＲＳの系列を生成する方法の一例を示す図である。
【図７】本実施形態に係るｓＴＴＩに割り当てられた下りリンクデータの受信確認応答を行うためのＰＵＣＣＨの構成の一例を示す図である。
【図８】本実施形態に係るｓＰＵＣＣＨのαＡ、αＢ、αＣの関係性の一例を示す図である。
【図９】本実施形態に係るｓＰＵＣＣＨのαＡ、αＢ、αＣの関係性の一例を示す図である。
【図１０】本実施形態に係るｓＴＴＩに割り当てられた下りリンクデータの受信確認応答を行うためのＰＵＣＣＨの構成の一例を示す図である。
【図１１】本実施形態に係る基地局装置のブロック構成の一例を示す概略図である。
【図１２】本実施形態に係る端末装置のブロック構成の一例を示す概略図である。
【発明を実施するための形態】
【００１８】
＜第１の実施形態＞
本発明の第１の実施形態について以下に説明する。基地局装置（基地局、ノードＢ、ｅＮＢ（eNodeB））と端末装置（端末、移動局、移動局装置、ユーザ装置、ＵＥ（User equipment））とが、セルにおいて通信する通信システム（セルラーシステム）を用いて説明する。
【００１９】
図１は、本実施形態に係る通信システム１００の構成例を示した図である。通信システム１００は、基地局装置１、端末装置３Ａ及び端末装置３Ｂを含んで構成される。端末装置３Ａ及び端末装置３Ｂをまとめて端末装置３とも呼称する。基地局装置１は、端末装置３とデータ（ペイロード、物理層データ、情報）の通信を行う。
【００２０】
ＥＵＴＲＡおよびＡｄｖａｎｃｅｄ  ＥＵＴＲＡで使用される主な物理チャネル、および物理シグナルについて説明を行なう。チャネルとは信号の送信に用いられる媒体を意味し、物理チャネルとは信号の送信に用いられる物理的な媒体を意味する。本実施形態において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性があるが、変更または追加された場合でも本実施形態の説明には影響しない。
【００２１】
ＬＴＥおよびＥＵＴＲＡおよびＡｄｖａｎｃｅｄ  ＥＵＴＲＡでは、物理チャネルまたは物理信号のスケジューリングについて無線フレームを用いて管理している。１無線フレームの時間長の一例は１０ミリ秒（ｍｓ）であり、１無線フレームの一例は１０サブフレームで構成される。さらに、１サブフレームの一例は２スロットで構成される。すなわち、１サブフレームの時間長の一例は１ｍｓ、１スロットの時間長の一例は０．５ｍｓである。また、物理チャネルが配置されるスケジューリングの最小単位としてリソースブロックを用いて管理している。リソースブロックの一例とは、周波数軸を複数サブキャリア（例えば、サブキャリア間隔が１５ｋＨｚである１２サブキャリア）の集合で構成される一定の周波数領域と、一定の送信時間間隔（ＴＴＩ（Transmission Time Interval）、スロット、シンボル）で構成される領域で定義される。なお、１サブフレームは、１リソースブロックペアと称されてもよい。また、ＬＴＥでは、１ＴＴＩは１サブフレーム（１ｍｓ）として規定されてもよい。なお、ＴＴＩは、受信側では受信時間間隔として規定されてもよい。ＴＴＩは、物理チャネルや物理信号の送信単位または受信単位として定義されてもよい。つまり、物理チャネルや物理信号の時間長は、ＴＴＩの長さに基づいて規定されてもよい。また、サブフレームは、１つのｓＴＴＩで構成されても良い。つまり、サブフレームはＴＴＩ長に基づいて決定されても良い。
【００２２】
本実施形態に係るＴＴＩは、ＯＦＤＭシンボル数で定義されても良い。図２は、ＯＦＤＭシンボル数で定義されるＴＴＩの一例を示した図である。１サブフレームは複数のＯＦＤＭシンボルで構成されており、図２に示す一例では、ＯＦＤＭシンボル数は１４である。また、１サブフレーム内のＯＦＤＭシンボルそれぞれの長さは異なっていても良い。図２に示す一例では、左から１番目及び８番目のＯＦＤＭシンボルは２２０８Ｔｓ秒であり、それ以外のＯＦＤＭシンボルは２１９２Ｔｓ秒である。ここで、Ｔｓは０．０１／３０７２００秒である。また、実線の矢印はＴＴＩの長さを示す。なお、サブフレームを構成するＯＦＤＭシンボルの長さは、図２に示す一例に限定されない。また、以下ではＯＦＤＭシンボル、ＯＦＤＭ  ｓｙｍｂｏｌ、ＳＣ−ＦＤＭＡシンボルをＯＳとも呼称する。また、本実施形態において、ＯＦＤＭシンボルとＳＣ−ＦＤＭＡシンボルはお互いに読み替えられても良い。
【００２３】
例えば、ＴＴＩは１，２，３，４，７，１４  ＯＳの長さで規定されても良い。ＯＳの長さはサブフレーム内で異なる値をとり得るから、ＴＴＩは複数のＴＴＩ長を含んでも良い。また、ＴＴＩの長さはこれに限定されない。
【００２４】
１サブフレームは、１  ＯＳの長さで示されるＴＴＩで構成されても良い。以下では、１  ＯＳの長さで構成されるＴＴＩを１−ｓｙｍｂｏｌ  ＴＴＩとも呼称する。また、１サブフレームは、２  ＯＳの長さで示されるＴＴＩで構成されても良い。以下では、２  
ＯＳの長さで示されるＴＴＩを２−ｓｙｍｂｏｌ  ＴＴＩとも呼称する。また、１サブフレームは、３  ＯＳの長さで示されるＴＴＩと４  ＯＳの長さで示されるＴＴＩで構成されてもよい。３  ＯＳの長さで示されるＴＴＩを３−ｓｙｍｂｏｌ  ＴＴＩとも呼称し、４  ＯＳの長さで示されるＴＴＩを４−ｓｙｍｂｏｌ  ＴＴＩとも呼称する。また、図２に示されるように、１サブフレームが３−ｓｙｍｂｏｌ  ＴＴＩ及び４−ｓｙｍｂｏｌ  ＴＴＩで構成される場合に、それぞれのＴＴＩをまとめて３／４−ｓｙｍｂｏｌ  ＴＴＩとも呼称する。また、１サブフレームは、７  ＯＳの長さで示されるＴＴＩで構成されても良い。７  ＯＳの長さで示されるＴＴＩを７−ｓｙｍｂｏｌ  ＴＴＩまたはｓｌｏｔ  ＴＴＩとも呼称する。また、１サブフレームは、１４  ＯＳで示されるＴＴＩで構成されても良い。１４  ＯＳで示されるＴＴＩを１４−ｓｙｍｂｏｌ  ＴＴＩまたはｓｕｂｆｒａｍｅ  ＴＴＩとも呼称する。また、本発明に係る全てのＴＴＩをまとめてｓＴＴＩとも呼称する。
【００２５】
ＴＴＩ長は、ＯＦＤＭシンボル数以外で定義されても良い。例えば、ＴＴＩ長は時間、周波数、サブキャリア間隔、通信方式等に基づいて定義されても良い。
【００２６】
ＥＵＴＲＡおよびＡｄｖａｎｃｅｄ  ＥＵＴＲＡでは、フレーム構成タイプが定義される。フレーム構成タイプ１（Frame structure type 1）は周波数分割複信（Frequency Division Duplex、ＦＤＤ）に適用できる。フレーム構成タイプ２（Frame structure type 2）は時分割複信（Time Division Duplex、ＴＤＤ）に適用できる。
【００２７】
図３は、本実施形態に係る下りリンクの無線フレーム構成の一例を示す図である。下りリンクはＯＦＤＭアクセス方式が用いられる。下りリンクにおいて、下りリンクの信号および／または下りリンクの物理チャネルを送信することを、下りリンク送信と呼称される。下りリンクでは、ＰＤＣＣＨ、ＥＰＤＣＣＨ、物理下りリンク共用チャネル（ＰＤＳＣＨ；Ｐｈｙｓｉｃａｌ  Ｄｏｗｎｌｉｎｋ  Ｓｈａｒｅｄ  ＣＨａｎｎｅｌ）などが割り当てられる。下りリンクの無線フレームは、下りリンクのリソースブロック（ＲＢ；Ｒｅｓｏｕｒｃｅ  Ｂｌｏｃｋ）ペアから構成されている。この下りリンクのＲＢペアは、下りリンクの無線リソースの割り当てなどの単位であり、予め決められた幅の周波数帯（ＲＢ帯域幅）及び時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成される。また、時間領域においては、通常のサイクリックプレフィッス（ＣＰ）が付加される場合には７個、通常よりも長いサイクリックプレフィッスが付加される場合には６個のＯＦＤＭシンボルから構成される。周波数領域において１つのサブキャリア、時間領域において１つのＯＦＤＭシンボルにより規定される領域をリソースエレメント（ＲＥ；Ｒｅｓｏｕｒｃｅ  Ｅｌｅｍｅｎｔ）と称する。物理下りリンク制御チャネルは、端末装置識別子、物理下りリンク共用チャネルのスケジューリング情報、物理上りリンク共用チャネルのスケジューリング情報、変調方式、符号化率、再送パラメータなどの下りリンク制御情報が送信される物理チャネルである。なお、ここでは一つの要素キャリア（ＣＣ；Ｃｏｍｐｏｎｅｎｔ  Ｃａｒｒｉｅｒ）における下りリンクサブフレームを記載しているが、ＣＣ毎に下りリンクサブフレームが規定され、下りリンクサブフレームはＣＣ間でほぼ同期している。
【００２８】
図４は、本実施形態に係る上りリンクの無線フレーム構成の一例を示す図である。上りリンクはＳＣ−ＦＤＭＡ方式が用いられる。上りリンクにおいて、上りリンクの信号および／または上りリンクの物理チャネルを送信することを、上りリンク送信と呼称される。つまり、上りリンク送信は、ＰＵＳＣＨの送信と換言できる。上りリンクでは、物理上りリンク共用チャネル（Ｐｈｙｓｉｃａｌ  Ｕｐｌｉｎｋ  Ｓｈａｒｅｄ  Ｃｈａｎｎｅｌ；ＰＵＳＣＨ）、ＰＵＣＣＨなどが割り当てられる。また、ＰＵＳＣＨやＰＵＣＣＨの一
部に、上りリンク参照信号（上りリンクリファレンスシグナル）が割り当てられる。上りリンクの無線フレームは、上りリンクのＲＢペアから構成されている。この上りリンクのＲＢペアは、上りリンクの無線リソースの割り当てなどの単位であり、予め決められた幅の周波数帯（ＲＢ帯域幅）及び時間帯（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成される。時間領域においては、通常のサイクリックプレフィッスが付加される場合には７個、通常よりも長いサイクリックプレフィッスが付加される場合には６個のＳＣ−ＦＤＭＡシンボルから構成される。なお、ここでは一つのＣＣにおける上りリンクサブフレームを記載しているが、ＣＣ毎に上りリンクサブフレームが規定される。伝搬遅延の補正などから、端末装置の視点から、上りリンクの無線フレーム（上りリンクサブフレーム）の先頭は下りリンクの無線フレーム（下りリンクサブフレーム）の先頭よりも前になるように調整される。
【００２９】
同期シグナルは、３種類のプライマリー同期シグナルと、周波数領域で互い違いに配置される３１種類の符号から構成されるセカンダリー同期シグナルとで構成され、プライマリー同期シグナルとセカンダリー同期シグナルの信号の組み合わせによって、基地局装置１を識別する５０４通りのセル識別子（物理セルＩＤ（Ｐｈｙｓｉｃａｌ  Ｃｅｌｌ  Ｉｄｅｎｔｉｔｙ；  ＰＣＩ））と、無線同期のためのフレームタイミングが示される。端末装置３は、セルサーチによって受信した同期シグナルの物理セルＩＤを特定する。
【００３０】
物理報知情報チャネル（ＰＢＣＨ；  Ｐｈｙｓｉｃａｌ  Ｂｒｏａｄｃａｓｔ  Ｃｈａｎｎｅｌ）は、セル内の端末装置３で共通に用いられる制御パラメータ（報知情報（システム情報）；Ｓｙｓｔｅｍ  ｉｎｆｏｒｍａｔｉｏｎ）を通知（設定）する目的で送信される。物理下りリンク制御チャネルで報知情報が送信される無線リソースがセル内の端末装置３に対して通知され、物理報知情報チャネルで通知されない報知情報は、通知された無線リソースにおいて、物理下りリンク共用チャネルによって報知情報を通知するレイヤ３メッセージ（システムインフォメーション）が送信される。
【００３１】
報知情報として、セル個別の識別子を示すセルグローバル識別子（ＣＧＩ；  Ｃｅｌｌ
Ｇｌｏｂａｌ  Ｉｄｅｎｔｉｆｉｅｒ）、ページングによる待ち受けエリアを管理するトラッキングエリア識別子（ＴＡＩ；  Ｔｒａｃｋｉｎｇ  Ａｒｅａ  Ｉｄｅｎｔｉｆｉｅｒ）、ランダムアクセス設定情報（送信タイミングタイマーなど）、当該セルにおける共通無線リソース設定情報、周辺セル情報、上りリンクアクセス制限情報などが通知される。
【００３２】
下りリンクリファレンスシグナルは、その用途によって複数のタイプに分類される。例えば、セル固有ＲＳ（Ｃｅｌｌ−ｓｐｅｃｉｆｉｃ  ｒｅｆｅｒｅｎｃｅ  ｓｉｇｎａｌｓ）は、セル毎に所定の電力で送信されるパイロットシグナルであり、所定の規則に基づいて周波数領域および時間領域で周期的に繰り返される下りリンクリファレンスシグナルである。端末装置３は、セル固有ＲＳを受信することでセル毎の受信品質を測定する。また、端末装置３は、セル固有ＲＳと同時に送信される物理下りリンク制御チャネル、または物理下りリンク共用チャネルの復調のための参照用の信号としてもセル固有ＲＳを使用する。セル固有ＲＳに使用される系列は、セル毎に識別可能な系列が用いられる。
【００３３】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、端末装置３に対して個別に設定される下りリンクリファレンスシグナルは、ＵＥ  ｓｐｅｃｉｆｉｃ  Ｒ
ｅｆｅｒｅｎｃｅ  Ｓｉｇｎａｌｓ（ＵＲＳ）、Ｄｅｍｏｄｕｌａｔｉｏｎ  Ｒｅｆｅｒｅｎｃｅ  Ｓｉｇｎａｌ（ＤＭＲＳ）またはＤｅｄｉｃａｔｅｄ  ＲＳ（ＤＲＳ）と称され、拡張物理下りリンク制御チャネル、または物理下りリンク共用チャネルを復調するときのチャネルの伝搬路補償処理のために参照される。
【００３４】
端末装置３は、下りリンクデータ（ＰＤＳＣＨ、ＤＬ−ＳＣＨ）や上位層制御情報であるレイヤ２メッセージおよびレイヤ３メッセージ（ページング、ハンドオーバーコマンドなど）を送受信する前に、自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＦＤＭシンボルで送信される以外に、基地局装置１から端末装置３に対して個別（ｄｅｄｉｃａｔｅｄ）に割り当てられるリソースブロックの領域で送信されるように構成することも可能である。なお、上りリンクグラントは、ＰＵＳＣＨをスケジュールするＤＣＩフォーマットと換言することができる。なお、下りリンクグラントは、ＰＤＳＣＨをスケジュールするＤＣＩフォーマットと換言することができる。ＰＤＳＣＨがスケジュールされるサブフレームは、そのＰＤＳＣＨの受信を指示するＤＣＩフォーマットの復号が成功したサブフレームである。また、ＰＵＳＣＨがスケジュールされるサブフレームは、そのＰＵＳＣＨの送信を指示するＤＣＩフォーマットの復号が成功したサブフレームに関連付けられて指示される。例えば、ＦＤＤセルの場合、ＰＵＳＣＨがスケジュールされるサブフレームは、そのＰＵＳＣＨの送信を指示するＤＣＩフォーマットの復号が成功したサブフレームから４サブフレーム後である。すなわち、ＰＵＳＣＨおよびＰＤＳＣＨがスケジュールされるサブフレームは、その送信または受信が指示されるＤＣＩフォーマットの復号が成功したサブフレームに関連付けられる。
【００３５】
物理下りリンク制御チャネル（ＰＤＣＣＨ；  Ｐｈｙｓｉｃａｌ  Ｄｏｗｎｌｉｎｋ  Ｃｏｎｔｒｏｌ  Ｃｈａｎｎｅｌ）は、各サブフレームの先頭からいくつかのＯＦＤＭシンボル（例えば１〜４ＯＦＤＭシンボル）で送信される。拡張物理下りリンク制御チャネル（ＥＰＤＣＣＨ；  Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置３に対して基地局装置１のスケジューリングに従った無線リソース割り当て情報や、送信電力の増減の調整量を指示する情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００３６】
ＰＤＣＣＨは、下りリンク制御情報（DCI: Downlink Control Information）を送信す
るために用いられてもよい。ＰＤＣＣＨが送信するＤＣＩには、下りリンクグラントや上りリンクグラントがある。ＤＣＩは、上りリンクサブフレーム及び下りリンクサブフレームのスケジューリング情報を含む。
【００３７】
ＤＣＩは、上りリンクおよび／または下りリンクｓＴＴＩのスケジューリング情報を含むことができる。つまり、基地局装置１は、ＤＣＩを端末装置３に送信することにより、当該ｓＴＴIのための上りリンクグラントおよび／または下りリンクグラントを通知する
ことができる。本実施形態において、ｓＴＴIのための上りリンクグラントおよび／また
は下りリンクグラントを含むＤＣＩをｓＤＣIとも呼称する。ｓＤＣＩはＰＤＣＣＨによ
り送信されることができる。また、ｓＴＴＩは、ＰＤＣＣＨ以外の領域により送信されることができる。本実施形態において、ｓＤＣＩを送信する機能を備えるＰＤＣＣＨ以外の領域をｓＰＤＣＣＨとも呼称する。例えば、ｓＰＤＣＣＨはｓＴＴＩの先頭ＯＳからＮｓＰＤＣＣＨまでの間に含まれていてもよい。また、例えばｓＰＤＣＣＨはｓＴＴＩの帯域
の一部に含まれていてもよい。
【００３８】
ＤＣＩフォーマットには、ＣＲＣ（Cyclic Redundancy Check）パリティビットが付加
される。下りリンクグラント、または、上りリンクグラントに付加されるＣＲＣパリティビットは、Ｃ−ＲＮＴＩ（Cell-Radio Network Temporary Identifier）、または、ＳＰ
Ｓ  Ｃ−ＲＮＴＩ（Semi Persistent Scheduling Cell-Radio Network Temporary Identifier）でスクランブルされてもよい。Ｃ−ＲＮＴＩおよびＳＰＳ  Ｃ−ＲＮＴＩは、セル内において端末装置を識別するための識別子である。
【００３９】
Ｃ−ＲＮＴＩは、単一のサブフレームにおけるＰＤＳＣＨまたはＰＵＳＣＨを制御するために用いられる。ＳＰＳ  Ｃ−ＲＮＴＩは、ＰＤＳＣＨまたはＰＵＳＣＨのリソースを周期的に割り当てるために用いられる。
【００４０】
ｓＴＴＩのための下りリンクグラント、または、上りリンクグラントに付加されるＣＲＣパリティビットは、Ｃ−ＲＮＴＩ、ＳＰＳ−ＲＮＴＩでスクランブルされてもよい。また、ｓＴＴＩのための下りリンクグラント、または、上りリンクグラントに付加されるＣＲＣパリティビットは、ｓＴＴＩを割り当てるために用いられるＲＮＴＩ（例えば、ｓＴＴＩ専用のＲＮＴＩ等）でスクランブルされてもよい。
【００４１】
以下では、ｓＴＴＩのための下りリンクグラントまたは上りリンクグラントの方法を説明する。基地局装置１は、例えば、下りリンクグラントまたは上りリンクグラントに含まれる情報を分割して送信することができる。例えば、基地局装置１は、第１のＤＣＩ（Ｓｌｏｗ  Ｇｒａｎｔ、Ｆｉｒｓｔ  Ｇｒａｎｔ等）と第２のＤＣＩ（Ｆａｓｔ  Ｇｒａｎｔ、Ｓｅｃｏｎｄ  Ｇｒａｎｔ）を端末装置３に送信する機能を備えてもよい。第１のＤＣＩは、端末装置３が割り当てられるｓＰＤＳＣＨまたはｓＰＵＳＣＨのリソースの候補を示してもよい。第１のＤＣＩは、ｓＰＤＳＣＨまたはｓＰＵＳＣＨの割当情報、ＭＣＳ、ＴＴＩ長等に関する情報を含んでもよい。第１のＤＣＩは、ｓＴＴＩのための下りリンクグラント、または、上りリンクグラントによる割当が運用されるリソース（周波数帯域、期間、ＲＢ数、ＲＢ指標等）を示す情報等を含んでもよい。第１のＤＣＩに付加されるＣＲＣパリティビットは、複数の端末装置３によって共有されるＲＮＴＩでスクランブルされてもよい。
【００４２】
第２のＤＣＩは、第１のＤＣＩによって事前に割り当てられたｓＴＴＩのためのリソースにおいて、割り当てられたｓＰＤＳＣＨまたはｓＰＵＳＣＨの復号に関する情報を含んでもよい。例えば、第２のＤＣＩは、データ送信に用いるＲＢを示す下りリンクリソース割り当て、ＨＡＲＱの制御に用いる情報等が含まれてもよい。
【００４３】
ＤＣＩは、プライマリセルのＰＵＳＣＨに対する複数のＴＰＣ（Transmission Power Control）コマンド、または、プライマリセルのＰＵＣＣＨに対する複数のＴＰＣコマンドの送信のために用いられてもよい。プライマリセルのＰＵＳＣＨおよび／またはＰＵＣＣＨに対する複数のＴＰＣコマンドは、ＤＣＩフォーマット３またはＤＣＩフォーマット３Ａに含まれる。ＤＣＩフォーマット３に含まれる１つのＴＰＣコマンドは２ビットである。ＤＣＩフォーマット３Ａに含まれる１つのＴＰＣコマンドは１ビットである。
【００４４】
基地局装置１は、ＴＰＣ−ＰＵＳＣＨ−ＲＮＴＩの値を示す情報、ＴＰＣ−ＰＵＳＣＨ−ＲＮＴＩに対応するパラメータtpc-indexを示す情報、ＴＰＣ−ＰＵＣＣＨ−ＲＮＴＩ
の値を示す情報、および、ＴＰＣ−ＰＵＣＣＨ−ＲＮＴＩに対応するパラメータtpc-indexを示す情報を含む上位層の信号を、端末装置３に送信する。基地局装置１は、ＤＣＩフ
ォーマット３またはＤＣＩフォーマット３Ａのモニタを指示する情報を含む上位層の信号を、端末装置３に送信する。
【００４５】
ＤＣＩフォーマット３／３Ａに付加されるＣＲＣパリティビットは、ＴＰＣ−ＰＵＳＣＨ−ＲＮＴＩ、または、ＴＰＣ−ＰＵＣＣＨ−ＲＮＴＩでスクランブルされる。
【００４６】
端末装置３は、ＤＣＩフォーマット３／３Ａに付加されたＣＲＣパリティビットがＴＰＣ−ＰＵＳＣＨ−ＲＮＴＩでスクランブルされている場合、該ＤＣＩフォーマット３／３ＡはＰＵＳＣＨに対するＴＰＣコマンドを含んでいると判断する。端末装置３は、ＤＣＩフォーマット３／３Ａに付加されたＣＲＣパリティビットがＴＰＣ−ＰＵＣＣＨ−ＲＮＴＩでスクランブルされている場合、ＤＣＩフォーマット３／３ＡはＰＵＣＣＨに対するＴＰＣコマンドを含んでいると判断する。
【００４７】
ＴＰＣ−ＰＵＳＣＨ−ＲＮＴＩでスクランブルされたＣＲＣパリティビットが付加されたＤＣＩフォーマット３／３Ａを、ＰＵＳＣＨに対するＤＣＩフォーマット３／３Ａとも称する。ＴＰＣ−ＰＵＣＣＨ−ＲＮＴＩでスクランブルされたＣＲＣパリティビットが付加されたＤＣＩフォーマット３／３Ａを、ＰＵＣＣＨに対するＤＣＩフォーマット３／３Ａとも称する。
【００４８】
端末装置３は、上位層によって与えられるパラメータtpc-indexに基づいて、該端末装
置３に対するＴＰＣコマンドのインデックスを決定する。
【００４９】
基地局装置１は、プライマリセルのＣＳＳ（Common Search Space）でＤＣＩフォーマ
ット３／３Ａを送信してもよい。端末装置３は、プライマリセルのＣＳＳでＤＣＩフォーマット３／３Ａをモニタしてもよい。端末装置３は、プライマリセルのＣＳＳでＤＣＩフォーマット３／３Ａに対するＰＤＣＣＨ／ＥＰＤＣＣＨのデコードを試みてもよい。
【００５０】
下りリンクグラントは、ＰＵＣＣＨに対するＴＰＣコマンドを含む。上りリンクグラントは、ＰＵＳＣＨに対するＴＰＣコマンドを含む。
【００５１】
物理上りリンク制御チャネル（ＰＵＣＣＨ；  Ｐｈｙｓｉｃａｌ  Ｕｐｌｉｎｋ  Ｃｏｎｔｒｏｌ  Ｃｈａｎｎｅｌ）は、物理下りリンク共用チャネルで送信された下りリンクデータの受信確認応答（ＨＡＲＱ−ＡＣＫ；Ｈｙｂｒｉｄ  Ａｕｔｏｍａｔｉｃ  Ｒｅｐｅａｔ  ｒｅＱｕｅｓｔ−ＡｃｋｎｏｗｌｅｄｇｅｍｅｎｔあるいはＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【００５２】
スケジューリングリクエストの送信が期待される（または設定される）サブフレームまたは（ｓ）ＴＴＩにおいて、受信確認応答が送信される場合、当該サブフレームまたは当該（ｓ）ＴＴＩにおいてスケジューリングリクエストが送信されることを正のＳＲ（Ｐｏｓｉｔｉｖｅ  ＳＲ）とも呼称し、当該サブフレームまたは当該（ｓ）ＴＴＩにおいてスケジューリングリクエストが送信されないことを負のＳＲ（Ｎｅｇａｔｉｖｅ  ＳＲ）とも呼称する。つまり、端末装置３は、スケジューリングリクエストの送信が期待される（または設定される）サブフレームまたは（ｓ）ＴＴＩにおいて、正のＳＲまたは負のＳＲを送信することができる。
【００５３】
ＣＳＩは、前記ＣＳＩに対応するサービングセルの受信品質指標（ＣＱＩ：Ｃｈａｎｎｅｌ  Ｑｕａｌｉｔｙ  Ｉｎｄｉｃａｔｏｒ）、プレコーディング行列指標（ＰＭＩ：Ｐｒｅｃｏｄｉｎｇ  Ｍａｔｒｉｘ  Ｉｎｄｉｃａｔｏｒ）、プレコーディングタイプ指標
（ＰＴＩ：Ｐｒｅｃｏｄｉｎｇ  Ｔｙｐｅ  Ｉｎｄｉｃａｔｏｒ）、ランク指標（ＲＩ：Ｒａｎｋ  Ｉｎｄｉｃａｔｏｒ）を含み、それぞれ、好適な変調方式および符号化率、好適なプレコーディング行列、好適なＰＭＩのタイプ、好適なランクを指定する（表現する）ために用いられることができる。各Ｉｎｄｉｃａｔｏｒは、Ｉｎｄｉｃａｔｉｏｎと表記されてもよい。また、ＣＱＩおよびＰＭＩには、１つのセル内のすべてのリソースブロックを用いた送信を想定したワイドバンドＣＱＩおよびＰＭＩと、１つのセル内の一部の連続するリソースブロック（サブバンド）を用いた送信を想定したサブバンドＣＱＩおよびＰＭＩとに分類される。また、ＰＭＩは、１つのＰＭＩで１つの好適なプレコーディング行列を表現する通常のタイプのＰＭＩの他に、第１ＰＭＩと第２ＰＭＩの２種類のＰＭＩを用いて１つの好適なプレコーディング行列を表現するタイプのＰＭＩが存在する。
【００５４】
例えば、端末装置３は、下りリンク物理リソースブロックのグループを占領し、ＣＱＩインデックスに対応する変調方式およびトランスポートブロックサイズの組み合わせによって決定される一つのＰＤＳＣＨトランスポートの誤り確率が所定の値（例えば、０．１）を超えないような条件を満たす前記ＣＱＩインデックスを報告する。
【００５５】
尚、ＣＱＩ、ＰＭＩ、および／または、ＲＩの計算に用いられる下りリンク物理リソースブロックはＣＳＩ参照リソース（ＣＳＩ  ｒｅｆｅｒｅｎｃｅ  ｒｅｓｏｕｒｃｅ）とも呼称される。
【００５６】
端末装置３は、ＣＳＩを基地局装置１に報告する。ＣＳＩ報告は、周期的なＣＳＩ報告と非周期的なＣＳＩ報告がある。周期的なＣＳＩ報告では、端末装置３は、上位層で設定されたタイミングにおいて、ＣＳＩを報告する。非周期的なＣＳＩ報告では、端末装置３は、受信した上りリンク用のＤＣＩフォーマット（上りリンクグラント）またはランダムアクセスレスポンスグラントに含まれるＣＳＩ要求の情報に基づいたタイミングにおいて、ＣＳＩを報告する。
【００５７】
端末装置３は、ＣＱＩおよび／またはＰＭＩおよび／またはＲＩを報告する。尚、端末装置３は、上位層の設定によって、ＰＭＩおよび／またはＲＩを報告しなくてもよい。上位層の設定は、例えば、送信モード、フィードバックモード、報告タイプ、ＰＭＩ／ＲＩを報告するか否かのパラメータ、である。
【００５８】
図５は、本実施形態のＰＵＣＣＨを生成する方法を示す図である。図５において、NPUCCHSFは、単一のスロット内における直交系列ｗ（ｉ）のスプレッディングファクタであり、そして、４である。図５において、NPUCCHseqは、単一のＰＵＣＣＨの帯域幅に含まれ
るサブキャリアの数であり、そして、１２である。図５において、ｐはアンテナポートの番号であり、そして、ＰはＰＵＣＣＨの送信に用いられるアンテナポートの数である。
【００５９】
最初に、端末装置３は、シーケンスr’u,v(n)を決定する。ｕは、シーケンスグループ
番号である。端末装置３は、少なくとも物理レイヤセルアイデンティティに基づいてｕの値を決定してもよい。ｖは、シーケンス番号であり、ＰＵＣＣＨに対しては常に０である。
【００６０】
尚、シーケンスグループ番号ｕは、擬似ランダムシーケンスに基づいて、スロット毎にホップしてもよい。基地局装置１は、シーケンスグループ番号ｕのホッピングが有効かどうかを示す情報を送信する。また、端末装置３は、シーケンスグループ番号ｕのホッピングが有効かどうかを示す情報に基づいて、シーケンスグループ番号ｕをホップさせるかどうかを決定する。
【００６１】
端末装置３と基地局装置１は、シーケンスグループ番号のそれぞれに対して定義されて
いる系列長１２のシーケンスr’u,v(n)を記憶しており、そして、決定したｕに対応する
シーケンスr’u,v(n)を読み出す（生成する）。
【００６２】
端末装置３は、シーケンスr’u,v(n)をｅｊαpｎで乗算することにより、シーケンスr(αp)u,v(n)を生成する。αpは、サブキャリア毎の位相回転量である。周波数領域におけ
るシーケンスr’u,v(n)の位相回転は、時間領域におけるＰＵＣＣＨのＳＣ−ＦＤＭＡシ
ンボルのサイクリックシフトに相当する。従って、本実施形態において、αpを単にサイ
クリックシフトとも称する。
【００６３】
端末装置３は、シーケンスr(αp)u,v(n)に１/√Ｐとｄ(0)を乗算することにより、変調シンボルのブロックy(p)(n)を生成する。ｄ（０）は１ビットまたは２ビットのＨＡＲＱ
−ＡＣＫのそれぞれをＢＰＳＫ（Binary Phase Shift Keying）変調またはＱＰＳＫ（Quadrature Phase Shift Keying）変調することによって生成される変調シンボルである。
【００６４】
端末装置３は、変調シンボルのブロックy(p)(n)にS(ns)を乗算し、そして、S(ns)を乗
算した変調シンボルのブロックy(p)(n)を直交系列wn(p)OC(m)で拡散することにより、変
調シンボルのブロックz(p)(*)を生成する。S(ns)は、ＰＵＣＣＨリソースの番号に基づいて、１またはｅjπ/2が選択される。
【００６５】
端末装置３は、サブフレーム内において、変調シンボルのブロックz(p)(*)を第１のス
ロットの｛０、１、５，６｝のＳＣ−ＦＤＭＡシンボルに配置し、次に、第２のスロットの｛０、１、５，６｝のＳＣ−ＦＤＭＡシンボルに配置する。尚、単一のＳＣ−ＦＤＭＡシンボルにおいて、z(p)(*)は番号の小さいサブキャリアから順番に配置される。
【００６６】
以下、ＤＭＲＳの生成方法について説明する。
【００６７】
図６は、本実施形態のＤＭＲＳの系列を生成する方法を示す図である。図６において、NPUCCHRSは、単一のスロット毎のＰＵＣＣＨに対するＤＭＲＳの送信に用いられるＳＣ−ＦＤＭＡシンボルの数であり、そして、３である。図６において、ＭRSSCは、参照信号系列の長さであり、そして、１２である。
【００６８】
端末装置３は、図６において、ＰＵＣＣＨと同じようにシーケンスr(αp)u,v(n)を生成する。つまり、端末装置３は、少なくとも物理レイヤセルアイデンティティに基づいてシーケンスr(αp)u,v(n)を生成してもよい。
【００６９】
また、端末装置３は、シーケンスr(αp)u,v(n)に１/√Pとw’(p)(m)とz(m)とを乗算す
ることにより、シーケンスr(p)PUCCH(*)を生成する。w’(p)(m)はＤＭＲＳに対する直交
系列である。z(m)は、ＨＡＲＱ−ＡＣＫのみの送信に用いられるＰＵＣＣＨのＤＭＲＳに対して常に１である。つまり、ＨＡＲＱ−ＡＣＫのみの送信に用いられるＰＵＣＣＨのＤＭＲＳを生成する場合は、z(m)を乗算する処理をしなくてもよい。
【００７０】
端末装置３１は、サブフレーム内において、シーケンスr(p)PUCCH(*)を第１のスロットの｛２、３、４｝のＳＣ−ＦＤＭＡシンボルに配置し、次に、第２のスロットの｛２、３、４｝に配置する。尚、単一のＳＣ−ＦＤＭＡシンボルにおいて、r(p)PUCCH(*)は番号の小さいサブキャリアから順番に配置される。
【００７１】
尚、単一のＰＵＣＣＨリソースに対応するＤＭＲＳにおいて、w’(i)は、[１  １  １]と[１  ej2π/3  ej4π/3]と[１  ej4π/3  ej2π/3]とのうち１つに対応する。
【００７２】
ＰＵＣＣＨは、端末装置３が、下りリンクサブフレームを割り当てられた場合に、割り
当てられた下りリンクデータの受信確認応答を送信するために使用されることができる。例えば、ＰＵＣＣＨは、ＰＤＳＣＨ（ＤＬ−ＳＣＨ、下りリンクデータ）に対する受信確認応答を送信するために使用されてもよい。また、ＰＵＣＣＨは、端末装置３が、下りリンクのｓＴＴＩを割り当てられた場合に、割り当てられた下りリンクデータの受信確認応答を行うために使用されることができる。例えば、ＰＵＣＣＨは、ｓＰＤＳＣＨ（ＤＬ−ＳＣＨ、下りリンクデータ）に対する受信確認応答を送信するために使用されてもよい。
【００７３】
図７は、ｓＴＴＩに割り当てられた下りリンクデータの受信確認応答を行うためのＰＵＣＣＨの構成の一例を示す図である。例えば、斜線で示されるＯＳに復調用の参照信号（ＤＭＲＳ）が割り当てられ、格子で示されるＯＳに受信確認応答用の信号が割り当てられる。このように、ｓＴＴＩに割り当てられた下りリンクデータの受信確認応答を行うためのチャネルは、ｓＴＴＩで構成されても良い。ここで、ｓＴＴＩで構成される下りリンクデータの受信確認応答を行うためのチャネルを、ｓＰＵＣＣＨとも呼称する。すなわち、ｓＰＵＣＣＨは、ｓＴＴＩにおける下りリンクデータに対する受信確認応答を送信するために使用されてもよい。図７は、２−ｓｙｍｂｏｌ  ＴＴＩでｓＰＵＣＣＨが構成される一例を示しているが、本実施形態に係るｓＰＵＣＣＨはこの一例に限定されず、いかなるｓＴＴＩによって構成されても良い。
【００７４】
物理下りリンク共用チャネル（ＰＤＳＣＨ；  Ｐｈｙｓｉｃａｌ  Ｄｏｗｎｌｉｎｋ  Ｓｈａｒｅｄ  Ｃｈａｎｎｅｌ）は、下りリンクデータの他、ランダムアクセスに対する返答（ランダムアクセスレスポンス、ＲＡＲ）、ページングや、物理報知情報チャネルで通知されない報知情報（システムインフォメーション）をレイヤ３メッセージとして端末装置３に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００７５】
ＰＤＳＣＨは、ｓＴＴＩによって構成されても良い。ｓＴＴＩによって構成されるＰＤＳＣＨをｓＰＤＳＣＨとも呼称する。
【００７６】
物理上りリンク共用チャネル（ＰＵＳＣＨ；  Ｐｈｙｓｉｃａｌ  Ｕｐｌｉｎｋ  Ｓｈａｒｅｄ  Ｃｈａｎｎｅｌ）は、主に上りリンクデータと上りリンク制御情報を送信し、ＣＳＩやＡＣＫ／ＮＡＣＫなどの上りリンク制御情報を含めることも可能である。また、上りリンクデータの他、上位層制御情報であるレイヤ２メッセージおよびレイヤ３メッセージを端末装置３から基地局装置１に通知するためにも使用される。また、下りリンクと同様に物理上りリンク共用チャネルの無線リソース割り当て情報は、物理下りリンク制御チャネルで示される。
【００７７】
ＰＵＳＣＨは、ｓＴＴＩによって構成されても良い。ｓＴＴＩによって構成されるＰＵＳＣＨをｓＰＵＳＣＨとも呼称する。
【００７８】
上りリンクリファレンスシグナル（上りリンク参照信号；Ｕｐｌｉｎｋ  Ｒｅｆｅｒｅｎｃｅ  Ｓｉｇｎａｌ、上りリンクパイロット信号、上りリンクパイロットチャネルとも呼称する）は、基地局装置１が、物理上りリンク制御チャネルＰＵＣＣＨおよび／または物理上りリンク共用チャネルＰＵＳＣＨを復調するために使用する復調参照信号（ＤＭＲＳ；Ｄｅｍｏｄｕｌａｔｉｏｎ  Ｒｅｆｅｒｅｎｃｅ  Ｓｉｇｎａｌ）と、基地局装置１が、主に、上りリンクのチャネル状態を推定するために使用するサウンディング参照信号（ＳＲＳ；Ｓｏｕｎｄｉｎｇ  Ｒｅｆｅｒｅｎｃｅ  Ｓｉｇｎａｌ）が含まれる。また、サウンディング参照信号には、周期的に送信される周期的サウンディング参照信号（Ｐｅ
ｒｉｏｄｉｃ  ＳＲＳ）と、基地局装置１から指示されたときに送信される非周期的サウンディング参照信号（Ａｐｅｒｉｏｄｉｃ  ＳＲＳ）とがある。
【００７９】
物理ランダムアクセスチャネル（ＰＲＡＣＨ；  Ｐｈｙｓｉｃａｌ  Ｒａｎｄｏｍ  Ａｃｃｅｓｓ  Ｃｈａｎｎｅｌ）は、プリアンブル系列を通知（設定）するために使用されるチャネルであり、ガードタイムを有する。プリアンブル系列は、複数のシーケンスによって基地局装置１へ情報を通知するように構成される。例えば、６４種類のシーケンスが用意されている場合、６ビットの情報を基地局装置１へ示すことができる。物理ランダムアクセスチャネルは、端末装置３の基地局装置１へのアクセス手段として用いられる。
【００８０】
また、端末装置３と基地局装置１は、キャリアアグリゲーションによって複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術を適用してもよい。コンポーネントキャリアには、上りリンクに対応する上りリンクコンポーネントキャリアと、下りリンクに対応する下りリンクコンポーネントキャリアとがある。本明細書において、周波数と周波数帯域は同義的に使用され得る。
【００８１】
例えば、キャリアアグリゲーションによって周波数帯域幅が２０ＭＨｚのコンポーネントキャリアを５つ集約した場合、キャリアアグリゲーションを可能な能力を持つ端末装置３はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【００８２】
また、同一周波数帯の連続または不連続の複数のコンポーネントキャリアを集約することも可能である。各コンポーネントキャリアの周波数帯域幅は端末装置３の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、後方互換性を考慮して従来のセルの周波数帯域幅のいずれかと等しいことが望ましいが、従来のセルの周波数帯域と異なる周波数帯域幅でも構わない。
【００８３】
また、後方互換性のないコンポーネントキャリア（キャリアタイプ）を集約してもよい。なお、基地局装置１が端末装置３に割り当てる（設定する、追加する）上りリンクコンポーネントキャリアの数は、下りリンクコンポーネントキャリアの数と同じか少ないことが望ましい。
【００８４】
無線リソース要求のための上りリンク制御チャネルの設定が行われる上りリンクコンポーネントキャリアと、当該上りリンクコンポーネントキャリアとセル固有接続される下りリンクコンポーネントキャリアから構成されるセルは、プライマリセル（ＰＣｅｌｌ：Ｐｒｉｍａｒｙ  ｃｅｌｌ）と称される。また、プライマリセル以外のコンポーネントキャリアから構成されるセルは、セカンダリセル（ＳＣｅｌｌ：Ｓｅｃｏｎｄａｒｙ  ｃｅｌｌ）と称される。端末装置３は、プライマリセルでページングメッセージの受信、報知情報の更新の検出、初期アクセス手順、セキュリティ情報の設定などを行う一方、セカンダリセルではこれらを行わないでもよい。
【００８５】
プライマリセルは活性化（Ａｃｔｉｖａｔｉｏｎ）および不活性化（Ｄｅａｃｔｉｖａｔｉｏｎ）の制御の対象外であるが（つまり必ず活性化しているとみなされる）、セカンダリセルは活性化および不活性化という状態（ｓｔａｔｅ）を持ち、これらの状態の変更
は、基地局装置１から明示的に指定されるほか、コンポーネントキャリア毎に端末装置３に設定されるタイマーに基づいて状態が変更される。プライマリセルとセカンダリセルとを合わせてサービングセル（在圏セル）と称する。
【００８６】
なお、キャリアアグリゲーションは、複数のコンポーネントキャリア（周波数帯域）を用いた複数のセルによる通信であり、セル・アグリゲーションとも称される。なお、端末装置３は、周波数毎にリレー局装置（またはリピーター）を介して基地局装置１と無線接続されても良い。すなわち、本実施形態の基地局装置１は、リレー局装置に置き換えることが出来る。
【００８７】
基地局装置１は端末装置３が該基地局装置１で通信可能なエリアであるセルを周波数毎に管理する。１つの基地局装置１が複数のセルを管理していてもよい。セルは、端末装置３と通信可能なエリアの大きさ（セルサイズ）に応じて複数の種別に分類される。例えば、セルは、マクロセルとスモールセルに分類される。さらに、スモールセルは、そのエリアの大きさに応じて、フェムトセル、ピコセル、ナノセルに分類される。また、端末装置３がある基地局装置１と通信可能であるとき、その基地局装置１のセルのうち、端末装置３との通信に使用されるように設定されているセルは在圏セル（Ｓｅｒｖｉｎｇ  ｃｅｌｌ）であり、その他の通信に使用されないセルは周辺セル（Ｎｅｉｇｈｂｏｒｉｎｇ  ｃｅｌｌ）と称される。
【００８８】
言い換えると、キャリアアグリゲーション（キャリアアグリゲーションとも称す）において、設定された複数のサービングセルは、１つのプライマリセルと１つまたは複数のセカンダリセルとを含む。
【００８９】
プライマリセルは、初期コネクション構築プロシージャが行なわれたサービングセル、コネクション再構築プロシージャを開始したサービングセル、または、ハンドオーバプロシージャにおいてプライマリセルと指示されたセルである。プライマリセルは、プライマリー周波数でオペレーションする。コネクションが（再）構築された時点、または、その後に、セカンダリセルが設定されてもよい。セカンダリセルは、セカンダリー周波数でオペレーションする。なお、コネクションは、ＲＲＣコネクションと称されてもよい。ＣＡをサポートしている端末装置３に対して、１つのプライマリセルと１つ以上のセカンダリセルで集約される。
【００９０】
以下では、デュアルコネクティビティの基本構造（アーキテクチャー）について説明する。例えば、端末装置３が、複数の基地局装置１（例えば、基地局装置１−１、基地局装置１−２）と同時に接続している場合を説明する。基地局装置１−１はマクロセルを構成する基地局装置であり、基地局装置１−２はスモールセルを構成する基地局装置であるとする。このように、端末装置３が、複数の基地局装置１に属する複数のセルを用いて同時に接続することをデュアルコネクティビティと称する。各基地局装置１に属するセルは同じ周波数で運用されていてもよいし、異なる周波数で運用されていてもよい。
【００９１】
なお、キャリアアグリゲーションは、複数のセルを一つの基地局装置１が管理し、各セルの周波数が異なるという点がデュアルコネクティビティと異なる。換言すると、キャリアアグリゲーションは、一つの端末装置３と一つの基地局装置１とを、周波数が異なる複数のセルを介して接続させる技術であるのに対し、デュアルコネクティビティは、一つの端末装置３と複数の基地局装置１とを、周波数が同じまたは異なる複数のセルを介して接続させる技術である。
【００９２】
端末装置３と基地局装置１は、キャリアアグリゲーションに適用される技術を、デュアルコネクティビティに対して適用することができる。例えば、端末装置３と基地局装置１
は、プライマリセルおよびセカンダリセルの割り当て、活性化／不活性化などの技術をデュアルコネクティビティにより接続されるセルに対して適用してもよい。
【００９３】
以下、本実施形態におけるＰＵＣＣＨでの送信に対する送信電力制御について説明する。
【００９４】
端末装置３は、ＰＵＣＣＨでの送信を行う場合に、あるセルｃに対する、あるサブフレームｉにおけるＰＵＣＣＨでの送信に対する送信電力値を、数式（１）に基づいてセットする。数式（１）におけるＰｒｅａｌ_ＰＵＣＣＨ，ｃ（ｉ）は、数式（２）に基づいて
定義される。
【数１】
2019110357.tif 000003
【数２】
2019110357.tif 000004
【００９５】
ここで、Ｐｒｅａｌ_ＰＵＣＣＨ，ｃ（ｉ）は、ＰＵＣＣＨに対する実際の送信（a real transmission）に基づいて算出される（推定される）電力値である。また、ＰＵＣＣＨに対する実際の送信に基づいて電力値が算出される（推定される）とは、ＰＵＣＣＨでの実際の送信に基づいて電力値が算出される（推定される）ことの意味を含む。
【００９６】
ここで、ＰＰＵＣＣＨ，ｃ（ｉ）は、第ｉサブフレームにおけるＰＵＣＣＨでの送信に対する送信電力値を示す。Ｐ０_ＰＵＣＣＨ，ｃは、ＰＵＣＣＨでの送信に対する基本と
なる送信電力を示すパラメータであり、上位層から指示される。Ｐ０_ＰＵＣＣＨ，ｃは
、Ｐ０_ＮＯＭＩＮＡＬ_ＰＵＣＣＨ、ｃ及びＰ０_ＵＥ_ＰＵＣＣＨ、ｃにより構成される。Ｐ０_ＮＯＭＩＮＡＬ_ＰＵＣＣＨ、ｃ及びＰ０_ＵＥ_ＰＵＣＣＨ、ｃは、それぞれ上位層から支持される。ここで、Ｐ０_ＮＯＭＩＮＡＬ_ＰＵＣＣＨ、ｃ及びＰ０_ＵＥ_ＰＵＣＣＨ、ｃは、ＰＵＣＣＨフォーマット（（ｓ）ＰＵＣＣＨの構成方法でもよい）に基づいて決定されてもよい。また、Ｐ０_ＮＯＭＩＮＡＬ_ＰＵＣＣＨ、ｃ及びＰ０_ＵＥ_ＰＵＣＣＨ、ｃは、送信されるスケジューリングリクエストのビット数に基づき決定されてもよい。
【００９７】
ｈ（ｎＣＱＩ、ｎＨＡＲＱ）は、ＰＵＣＣＨで送信されるビット数およびＰＵＣＣＨのフォーマットに基づいて算出される値である。すなわち、ＰＵＣＣＨフォーマット（（ｓ）ＰＵＣＣＨの構成方法でもよい）に基づいて、ｈ（ｎＣＱＩ、ｎＨＡＲＱ）が決定されてもよい。ここで、ｎＣＱＩはＰＵＣＣＨで送信されるチャネル状態情報のビット数を示し、ｎＨＡＲＱはＰＵＣＣＨで送信されるＨＡＲＱ−ＡＣＫのビット数を示す。ここで、ｈ（ｎＣＱＩ、ｎＨＡＲＱ）に、ＰＵＣＣＨで送信されるスケジューリングリクエストのビット数が含まれてもよい。つまり、数式（２）において、ｈ（ｎＣＱＩ、ｎＨＡＲＱ）の代わりにｈ（ｎＣＱＩ、ｎＨＡＲＱ、ｎＳＲ）が用いられてもよい。なお、ｎＳＲは、送信されるスケジューリングリクエストビット数に関連してよい。例えば、ｈ（ｎＣＱＩ、ｎＨＡＲＱ、１）＝ＸＳＲ、ｈ（ｎＣＱＩ、ｎＨＡＲＱ、０）＝Ｘ０であってもよい。ＸＳＲ、及びＸ０はそれぞれ、１ビットのスケジューリングリクエストが送信される場合、及びスケジューリングリクエストが送信されない場合のｈ（ｎＣＱＩ、ｎＨＡＲＱ、ｎＳＲ）の値である。例えば、ＸＳＲ＝０、Ｘ０＝１０＊Ｌｏｇ１０（２）である。ＸＳＲ及びＳ０は、ｎＣＱＩ及びｎＨＡＲＱに基づいて決定されてもよい。
【００９８】
ΔＦ_ＰＵＣＣＨ（Ｆ）は、ＰＵＣＣＨのフォーマット毎に上位層から指示されるオフ
セット値である。すなわち、ＰＵＣＣＨフォーマット（（ｓ）ＰＵＣＣＨの構成方法でも
よい）毎にオフセット値が指示されてもよい。例えば、ＰＵＣＣＨフォーマット１ａに対するΔＦ_ＰＵＣＣＨ（Ｆ）は常に０である。例えば、（ｓ）ＰＵＣＣＨに対して、スケ
ジューリングリクエストが送信される場合にΔＦ_ＰＵＣＣＨ（Ｆ）＝０であり、スケジ
ューリングリクエストが送信されない場合にΔＦ_ＰＵＣＣＨ（Ｆ）＝１０＊Ｌｏｇ１０
（２）であってもよい。
【００９９】
端末装置３は、数式（３）に基づいて、ｇ（ｉ）の値をセットしてもよい。
【数３】
2019110357.tif 000005
【０１００】
ここで、δＰＵＣＣＨは、補正値（a correction value）であり、ＴＰＣコマンドと呼称される。すなわち、δＰＵＣＣＨ（ｉ−ＫＰＵＣＣＨ）は、ｇ（ｉ−１）に累積される値を示している。また、δＰＵＣＣＨ（ｉ−ＫＰＵＣＣＨ）は、あるサブフレーム（ｉ−ＫＰＵＣＣＨ）で受信した、あるセルに対する下りリンクグラントおよびＰＵＣＣＨに対するＤＣＩフォーマット３／３Ａに含まれるＰＵＣＣＨに対するＴＰＣコマンドのフィールドにセットされた値に基づいて指示される。
【０１０１】
例えば、下りリンクグラントおよびＰＵＣＣＨに対するＤＣＩフォーマット３に含まれるＰＵＣＣＨに対するＴＰＣコマンドのフィールド（２ビットの情報フィールド）がセットされる値は、累積される補正値｛−１、０、１、３｝にマップされる。例えば、ＰＵＣＣＨに対するＤＣＩフォーマット３Ａに含まれるＰＵＣＣＨに対するＴＰＣコマンドのフィールド（１ビットの情報フィールド）がセットされる値は、累積される補正値｛−１、１｝にマップされる。
【０１０２】
ＫＰＵＣＣＨの値は、例えば４である。ＫＰＵＣＣＨの値はＰＵＣＣＨの（ｓ）ＴＴＩ長や、ｓＰＵＣＣＨに含まれる受信確認応答に対応するＰＤＳＣＨの（ｓ）ＴＴＩ長に基づいて決定されても良い。
【０１０３】
本実施形態に係るｓＰＵＣＣＨの構成方法の一例（構成方法１）は、数式（４）に基づいて決定される系列である。
【数４】
2019110357.tif 000006
【０１０４】
ここで、Ｓ１はｓＰＵＣＣＨの系列であり、α１及びα２はそれぞれサイクリックシフトである。ここで、ｓＰＵＣＣＨの系列Ｓ１の構成方法を構成方法１とも呼称する。なお、以下では、系列r’u,v(n)をr(n)とも呼称する。また、α１に基づく系列（数式（４）
における右辺第１項）を参照信号系列とも呼称する。また、α２に基づく系列（数式（４）における右辺第２項）をデータ系列とも呼称する。また、数式（４）における右辺第１項を第１（または第２）の系列、及びα１を第１（または第２）のサイクリックシフトとも呼称する。また、数式（４）における右辺第２項を第２（または第１）の系列、及びα２を第２（または第１）のサイクリックシフトとも呼称する。
【０１０５】
ここで、構成方法１は、異なるサイクリックシフトが乗算された（施された）複数の系列が、１つのＳＣ−ＦＭＤＡシンボル内に含まれる方法である。端末装置３により送信されるｓＰＵＣＣＨ系列Ｓ１は、基地局装置１により受信されることができる。例えば、基地局装置１は、受信したｓＰＵＣＣＨ系列Ｓ１に対してr(n)による相関処理を行なうことにより、サイクリックシフトα１及びα２を検出することができる。次いで、基地局装置１は、異なるサイクリックシフトα１及びα２が施された系列の位相差等を検出することによりｄ（０）を推定することが可能である。
【０１０６】
ｓＰＵＣＣＨは、少なくとも、ＳＲ、受信確認応答（ＡＣＫ／ＮＡＣＫ、Ａ／Ｎ等とも呼称）を送信するために用いられてもよい。つまり、ｓＰＵＣＣＨを用いて送信される情報は、少なくとも、ＳＲのみ、Ａ／Ｎのみ、及び、ＳＲ＋Ａ／Ｎ（ＳＲ及びＡ／Ｎ）を示す情報である（以下では、ＳＲのみ、Ａ／Ｎのみ、及び、ＳＲ＋Ａ／Ｎを示す情報を含めて上りリンク制御情報とも呼称する）。
【０１０７】
サイクリックシフトα１および／またはα２の値とＳＲが関連してもよい。つまり、α１および／またはα２が特定の値を示す場合に、基地局装置１は、ＳＲが送信されたと解釈してもよい。つまり、α１および／またはα２の値に基づいて、正のＳＲおよび負のＳＲの何れが送信されたかが示されてもよい。また、サイクリックシフトα１およびα２の差とＳＲが関連してもよい。つまり、α１および／α２の差が特定の値を示す場合に、基地局装置１は、ＳＲが送信されたと解釈してもよい。つまり、α１および／またはα２の差に基づいて、正のＳＲおよび負のＳＲの何れが送信されたかが示されてもよい。
【０１０８】
ｄ（０）の値とＳＲが関連してもよい。つまり、ｄ（０）が特定の値（変調シンボル値、ビット系列等）を示す場合に、基地局装置１は、ＳＲが送信されたと解釈してもよい。つまり、ｄ（０）の値に基づいて、正のＳＲおよび負のＳＲの何れが送信されたかが示されてもよい。
【０１０９】
サイクリックシフトα１および／またはα２の値とＡ／Ｎが関連してもよい。つまり、α１および／またはα２が特定の値を示す場合に、基地局装置１は、Ａ／Ｎが送信されたと解釈してもよい。また、サイクリックシフトα１およびα２の差とＡ／Ｎが関連してもよい。つまり、α１および／またはα２の値に基づいて、ＡＣＫおよびＮＡＣＫの何れが送信されたかが示されてもよい。つまり、α１および／α２の差が特定の値を示す場合に、基地局装置１は、Ａ／Ｎが送信されたと解釈してもよい。つまり、α１および／またはα２の差に基づいて、ＡＣＫおよびＮＡＣＫの何れが送信されたかが示されてもよい。
【０１１０】
ｄ（０）の値とＡ／Ｎが関連してもよい。つまり、ｄ（０）が特定の値（変調シンボル値、ビット系列等）を示す場合に、基地局装置１は、Ａ／Ｎが送信されたと解釈してもよい。つまり、ｄ（０）の値に基づいて、ＡＣＫおよびＮＡＣＫの何れが送信されたかが示されてもよい。
【０１１１】
ここで、α１の値、α２の値、ｄ（０）の値、および、ＳＲが関連してもよい。つまり、α１、α２、ｄ（０）が特定の値を示す場合に、基地局装置１は、ＳＲが送信されたと解釈してもよい。つまり、α１、α２、ｄ（０）に基づいて、正のＳＲおよび負のＳＲの何れが送信されたかが示されてもよい。
【０１１２】
ここで、α１の値、α２の値、ｄ（０）の値、および、Ａ／Ｎが関連してもよい。つまり、α１、α２、ｄ（０）が特定の値を示す場合に、基地局装置１は、Ａ／Ｎが送信されたと解釈してもよい。つまり、α１、α２、ｄ（０）に基づいて、ＡＣＫおよびＮＡＣＫの何れが送信されたかが示されてもよい。
【０１１３】
ここで、構成方法１において、上りリンク制御情報のそれぞれに対して、適切なサイクリックシフトを割り当てることができる。すなわち、ＳＲのみ、Ａ／Ｎのみ、及び、ＳＲ＋Ａ／Ｎのそれぞれに対して、適切なサイクリックシフトを割り当てることができる。
【０１１４】
構成方法１に基づくｓＰＵＣＣＨにおける上りリンク制御情報へのサイクリックシフトの割当方法の一例（以下、割当方法１）において、ＳＲのみが送信される場合には（α１、α２）＝（αＡ、αＢ）であってもよい。また、Ａ／Ｎのみが送信される場合には（α１、α２）＝（αＡ、αＣ）であってもよい。また、ＳＲ＋Ａ／Ｎが送信される場合には
（α１、α２）＝（αＢ、αＣ）であってもよい。ここで、αＡ、αＢ及びαＣは、異なるサイクリックシフト量を示してもよい。
【０１１５】
すなわち、ＳＲのみが送信される場合におけるα１と、Ａ／Ｎのみが送信される場合におけるα１として、同一のサイクリックシフト量（αＡ）が用いられてもよい。また、ＳＲのみが送信される場合におけるα２と、ＳＲ＋Ａ／Ｎが送信される場合におけるα１として、同一のサイクリックシフト量（αＢ）が用いられてもよい。また、Ａ／Ｎのみが送信される場合におけるα２と、ＳＲ＋Ａ／Ｎが送信される場合におけるα２として、同一のサイクリックシフト量（αＣ）が用いられてもよい。
【０１１６】
また、構成方法１に基づくｓＰＵＣＣＨにおける上りリンク制御情報へのサイクリックシフトの割当方法の別の一例（以下、割当方法２）において、ＳＲのみが送信される場合には（α１、α２）＝（αＡ、αＡ）であってもよい。また、Ａ／Ｎのみが送信される場合には（α１、α２）＝（αＡ、αＣ）であってもよい。また、ＳＲ＋Ａ／Ｎが送信される場合に（α１、α２）＝（αＡ、αＣ）であってもよい。すなわち、ＳＲのみを送信するｓＰＵＣＣＨにおいて、数式（４）におけるｄ（０）を用いないことから、α１＝α２＝αＡとすることで、端末装置３または基地局装置１の構成の簡易化、または送信効率または検出性能の向上等が期待される。
【０１１７】
すなわち、ＳＲのみが送信される場合において、α１とα２として、同一のサイクリックシフト量（αＡ）が用いられてもよい。また、ＳＲのみが送信される場合におけるα１（α２）と、Ａ／Ｎのみが送信される場合におけるα１として、同一のサイクリックシフト量（αＡ）が用いられてもよい。また、ＳＲのみが送信される場合におけるα１（α２）と、ＳＲ＋Ａ／Ｎが送信される場合におけるα１として、同一のサイクリックシフト量（αＡ）が用いられてもよい。また、Ａ／Ｎのみが送信される場合におけるα２と、ＳＲ＋Ａ／Ｎが送信される場合におけるα２として、同一のサイクリックシフト量（αＣ）が用いられてもよい。
【０１１８】
ここで、割当方法２が端末装置３に適用される場合、少なくともＡ／Ｎが送信される場合と比較して、ＳＲのみが送信される場合に参照信号系列に割り当てられる電力が２倍となる。ここで、少なくともＡ／Ｎが送信される場合とは、Ａ／Ｎのみが送信される場合、および／または、ＳＲ＋Ａ／Ｎが送信される場合を含んでもよい。これは、α１＝α２としており、右辺第２項が右辺第１項に加算されることに起因している。そのため、基地局装置１は、ＳＲのみの送信が期待される場合と少なくともＡ／Ｎの送信が期待される場合とで、受信を期待する電力の変更が要求される。また、基地局装置１がＳＲ＋Ａ／Ｎの受信を期待する場合において、端末装置３がＡ／Ｎを送信しない場合、端末装置３がＡ／Ｎを送信する場合と比較して参照信号系列に割り当てられる電力が２倍となる。
【０１１９】
端末装置３は、ＳＲのみが送信される場合と、少なくともＡ／Ｎが送信される場合とで、送信電力を変更することができる。つまり、端末装置３は、割り当てられたサイクリックシフトに応じて、送信電力を変更することができる。例えば、端末装置３は、ＳＲのみが送信される場合の送信電力を、少なくともＡ／Ｎが送信される場合の送信電力のＸ倍とすることができる。例えば、Ｘは２である。つまり、端末装置３は、送信される上りリンク制御情報の種類に応じて、異なる値Ｘに基づいて送信電力を変更することができる。
【０１２０】
端末装置３は、ＳＲのみが送信される場合と、少なくともＡ／Ｎが送信される場合とで、異なる送信電力制御を適用しても良い。つまり、端末装置３は、割り当てられたサイクリックシフトに応じて、異なる送信電力制御を適用しても良い。例えば、少なくともＡ／Ｎが送信される場合に適用される送信電力制御は数式（１）及び数式（２）に基づき、ＳＲのみが送信される場合に適用される送信電力制御は数式（１）及び数式（２）に基づか
ない方法でも良い。例えば、ＳＲのみが送信される場合に適用される送信電力制御は数式（５）に基づいてもよい。
【数５】
2019110357.tif 000007
【０１２１】
数式（５）では、数式（２）に対して新たなオフセット用パラメータＸ２が導入されている。例えば、オフセット用パラメータＸ２は、少なくともＡ／Ｎが送信される場合に適用される場合に０であり、ＳＲのみが送信される場合に適用される場合に−１０＊Ｌｏｇ１０（２）であってもよい。つまり、オフセット用パラメータは、送信される上りリンク制御情報の種類に基づき、異なってもよい。また、端末装置がｓＰＵＣＣＨ送信時に適用する送信電力制御のために用いられる数式は、送信される上りリンク制御情報に応じて、異なってもよい。
【０１２２】
端末装置３は、ＳＲのみが送信される場合と、少なくともＡ／Ｎが送信される場合とで、異なる送信電力制御のためのパラメータを用いても良い。つまり、端末装置３は、割り当てられたサイクリックシフトに応じて、異なる送信電力制御情報を適用しても良い。
【０１２３】
ここで、例えば、送信電力制御制御情報には、Ｐｃ＿ｍａｘ，ｃ、ＰＬｃ、ｈ（ｎＣＱＩ，ｎＨＡＲＱ）、ｎＣＱＩ，ｎＨＡＲＱ、ΔＦ＿ＰＵＣＣＨ（Ｆ）、ｇ（ｉ）、δＰＵＣＣＨ、および／または、ＫＰＵＣＣＨが含まれても良い。
つまり、端末装置３は、送信電力制御情報に基づきｓＰＵＣＣＨの送信電力制御を行うことができる。
【０１２４】
端末装置３は、（ｓ）ＰＵＣＣＨを構成するＳＣ−ＦＤＭＡシンボルの数に基づき、異なる送信電力制御を適用することができる。例えば、端末装置３は、（ｓ）ＰＵＣＣＨを構成するＳＣ−ＦＤＭＡシンボル数がＮｓＰＵＣＣＨ以下の場合に、上りリンク制御情報に応じて異なる送信電力制御を（ｓ）ＰＵＣＣＨに適用し、（ｓ）ＰＵＣＣＨを構成するＳＣ−ＦＤＭＡシンボル数がＮｓＰＵＣＣＨより大きいの場合に、上りリンク制御情報によらず、数式（１）及び数式（２）に基づく送信電力制御を、（ｓ）ＰＵＣＣＨに対して適用してもよい。また、別の一例では、端末装置３は、（ｓ）ＰＵＣＣＨを構成するＳＣ−ＦＤＭＡシンボル数ＮｓＰＵＣＣＨと送信電力とを関連付ける関数またはテーブルに基づく送信電力制御を適用してもよい。
【０１２５】
端末装置３は、（ｓ）ＰＵＣＣＨの帯域幅に基づき、異なる送信電力制御を適用することができる。例えば、端末装置３は、（ｓ）ＰＵＣＣＨの帯域幅がＷｓＰＵＣＣＨ以下の場合に、上りリンク制御情報に応じて異なる送信電力制御を（ｓ）ＰＵＣＣＨに適用し、（ｓ）ＰＵＣＣＨの帯域幅がＷｓＰＵＣＣＨより大きいの場合に、上りリンク制御情報によらず、数式（１）及び数式（２）に基づく送信電力制御を、（ｓ）ＰＵＣＣＨに対して適用してもよい。また、別の一例では、端末装置３は、（ｓ）ＰＵＣＣＨの帯域幅ＷｓＰＵＣＣＨと送信電力とを関連付ける関数またはテーブルに基づく送信電力制御を適用してもよい。
【０１２６】
例えば、基地局装置１は、端末装置３によってＳＲのみが送信される場合と、少なくともＡ／Ｎが送信される場合のそれぞれにおいて用いられる送信電力制御情報（パラメータ、インデックス、テーブル、数式、計算方法等）を、上位層のシグナリング（ＲＲＣシグナリング）、下りリンク制御情報（ＤＣＩ）、ＰＤＣＣＨ、および／または、ＰＤＳＣＨ等を用いて送信（設定）してもよい。
【０１２７】
続いて、サイクリックシフトαＡ、αＢ、αＣの関係性を説明する。図８は、割当方法
１または割当方法２に基づくｓＰＵＣＣＨのαＡ、αＢ、αＣの関係性の一例（サイクリックシフト関係性１）を示す図である。なお、割当方法２に基づくｓＰＵＣＣＨでは、ＳＲのみが送信される場合にαＢが与えられないとみなしてもよい。図８に示す一例では、上りリンク制御情報のそれぞれが送信される場合のサイクリックシフトαＡ、αＢ、αＣが変わらない。そのため、実装の容易性等の利点も期待される。一方で、少なくともＡ／Ｎが送信される場合には、２つのサイクリックシフト間の周波数領域の間隔が２＊Ｎｄとなり、基地局装置１の検出精度が課題となる。ここで、Ｎｄは、サイクリックシフトの単位であり、例えば、位相回転量（２π／１２等が用いられてもよい）である。つまり、サイクリックシフトは、時間方向（または周波数方向）の位相回転であってもよい。
【０１２８】
図９は、割当方法１または割当方法２に基づくｓＰＵＣＣＨのαＡ、αＢ、αＣの関係性の別の一例（サイクリックシフト関係性２）を示す図である。サイクリックシフト関係性２は、基地局装置１によって期待される上りリンク制御情報に応じて、αＡ、αＢ、αＣの値（及び関係性）が異なる一例である。これにより、Ａ／Ｎのみの送信が期待される場合には、２つのサイクリックシフトαＡ、αＢ間の周波数領域の間隔が５＊Ｎｄとなり、ＳＲ＋Ａ／Ｎの送信が期待される場合には、各サイクリックシフトαＡ、αＢ、αＣ間の周波数領域の間隔が３＊Ｎｄとなることで、基地局装置１の検出精度改善が期待される。つまり、例えばαＡ、αＢ、αＣは、ＳＲのみの送信が期待される場合および／またはＡ／Ｎのみの送信が期待される場合にαＢ＝αＡ＋Δ１の関係を備え、ＳＲ＋Ａ／Ｎの送信が期待される場合に、αＣ＝２＊Δ２＋αＡ＝Δ２＋αＢの関係を備えてもよい。Δ１は、αＡおよびαＢの間隔（または差）が最大になるよう設定されてもよい。また、Δ２は、αＡ、αＢおよびαＣの間隔（または差）が最大になるよう設定されてもよい。また、例えばαＡ、αＢ、αＣは、ＳＲ＋Ａ／Ｎの送信が期待される場合に、αＣ＝Δ２Ｂ＋αＢ、αＢ＝Δ２Ａ＋α２Ａの関係を備えてもよい。ここで、Δ２Ｂは、αＢおよびαＣの間隔（または差）が最大になるよう設定されてもよい。また、ここで、Δ２Ａは、αＡおよびαＢの間隔（または差）が最大になるよう設定されてもよい。
【０１２９】
つまり、端末装置３は、基地局装置１によって送信が期待される上りリンク制御情報の種類、サブフレーム番号、ｓＴＴＩの番号またはｓＴＴＩ長等に応じて、ｓＰＵＣＣＨ構成に係るサイクリックシフトを変更することができる。なお、ｓＰＵＣＣＨ構成に係るサイクリックシフトのためのＣＳ制御情報（値、または値の設定方法、または値の計算のためのパラメータ等）は、基地局装置１により送信される上位層のシグナリング（ＲＲＣシグナリング）、下りリンク制御情報（ＤＣＩ）、（ｓ）ＰＤＣＣＨ、および／または、（ｓ）ＰＤＳＣＨ等に基づいても良い。ここで、ＣＳ制御情報は、α１、α２、αＡ、αＢ、αＣの一部または全部に関する情報であってもよい。
【０１３０】
なお、サイクリックシフトの関係性は、必ずしも周波数領域の間隔に基づかなくても良い。例えば、端末装置３の観点から、数式（４）に基づき生成される系列Ｓ１の特性（例えば、ＰＡＰＲ（Peak to Average Power Ratio）やＣＭ（Cubic Metric）等）に基づき
サイクリックシフトの関係性またはαＡ、αＢ、αＣの値が設定されても良い。また、系列Ｓ１の特性はコンピュータシミュレーション等で計算された値でもよく、サイクリックシフトの関係性またはαＡ、αＢ、αＣの値はコンピュータシミュレーションに基づいてもよい（計算機で生成される系列またはＣＧＳ（Computer Generated Sequence）等とも
呼ばれる）。
【０１３１】
構成方法１に基づくｓＰＵＣＣＨにおける上り制御情報へのサイクリックシフトの割当方法の一例（以下、割当方法３）は、（α１、α２）＝（αＡ、αＢ）であり、ＳＲの送信が期待される場合とＡ／Ｎの送信が期待される場合とでリソースインデックス（周波数、時間、空間等のリソースを指定するインデックス）が異なる。例えば、ＳＲの送信が期待される場合とＡ／Ｎの送信が期待される場合とでｓＰＵＣＣＨの送信に使用されるＲＢ
が異なることができる。さらに、ＳＲ＋Ａ／Ｎの送信が期待される場合に、例えば、少なくともＳＲが送信される場合とＡ／Ｎのみが送信される場合とでリソースインデックスが異なることができる。
【０１３２】
本実施形態に係るｓＰＵＣＣＨの構成方法の別の一例（構成方法２）は、数式（６）に基づいて決定されることができる。
【数６】
2019110357.tif 000008
【０１３３】
構成方法２では、１つのＳＣ−ＦＭＤＡシンボル内にサイクリックシフトが施された系列が単体で配置される。すなわち、構成方法２は、サイクリックシフトが乗算された（施された）１つの系列が、１つのＳＣ−ＦＭＤＡシンボル内に含まれる方法であってもよい。端末装置３により送信されるｓＰＵＣＣＨ系列Ｓ２は、基地局装置１により受信されることができる。例えば、基地局装置１は、受信したｓＰＵＣＣＨ系列Ｓ２に対してr(n)による相関処理を行なうことにより、サイクリックシフトαを検出することができる。
【０１３４】
図１０の斜線部分に示すように、構成方法２では、１つのＳＣ−ＦＤＭＡシンボル内に、櫛状（Ｃｏｍｂ、インターレース、Ｉｎｔｅｒｌａｃｅ）に系列を割り当てることができる。例えば、図１０に示すように、櫛状に系列が割り当てられる場合、２つの割当パターンが生成されることができる。ここで、図１０における割当パターン１を割当パターンＸ１とも称する。また、図１０における割当パターン２を割当パターンＸ２とも称する。なお、構成方法２は、図１０の例に限定されず、櫛状に２以上の間隔を設けることにより、２以上の割当パターンが生成されてもよい。なお、構成方法２は、数式（５）以外の数式に基づいても良く、例えば、ＳＲＳの生成方法と同様の方法でも良い。なお、以下では、構成方法２において、図１０示される一例により構成されるｓＰＵＣＣＨを例にとり説明を行う。また、構成方法２に示す方法では、それぞれの割当パターンに、同一の、または異なるサイクリックシフトを施した系列を合成された系列によりｓＰＵＣＣＨが構成されても良い。
【０１３５】
構成方法２に基づくｓＰＵＣＣＨにおける上りリンク制御情報への割当パターンＸ１及びＸ２のために設定されるサイクリックシフトα１２及びα２２の一例（以下、割当方法４）において、例えば、ＳＲのみが送信される場合には（α１２、α２２）＝（αＡ、ｎｕｌｌ）であってもよい。また、Ａ／Ｎのみが送信される場合には（α１２、α２２）＝（αＡ、αＢ）であってもよい。また、ＳＲ＋Ａ／Ｎが送信される場合には（α１２、α２２）＝（αＡ、αＣ）であっても良い。
【０１３６】
すなわち、ＳＲのみが送信される場合におけるα１２と、Ａ／Ｎのみが送信される場合におけるα１２と、Ａ／Ｎのみが送信される場合におけるα１２として、同一のサイクリックシフト量（αＡ）が用いられてもよい。
【０１３７】
ここで、ｎｕｌｌは、サイクリックシフトが割り当てられず、系列が生成されないことを示していても良い。なお、ＳＲのみが送信される場合に、（α１２、α２２）＝（αＡ、αＡ）が設定されても良い。また、ＳＲのみが送信される場合に、（α１２、α２２）＝（αＡ、αＤ）が設定されても良い。なお、以下では、割当パターンＸ１に用いられる、数式（５）またはそれ以外の数式（または法則）に基づき生成される系列を第１（または第２）の系列とも呼称し、第１の系列に施されるサイクリックシフトα１を第１（または第２）のサイクリックシフトとも呼称する。また、割当パターンＸ２に用いられる、数式（５）またはそれ以外の数式（または法則）に基づき生成される系列を第２（または第１）の系列とも呼称し、第２の系列に施されるサイクリックシフトα２を第２（または第１）のサイクリックシフトとも呼称する。
【０１３８】
ここで、割当方法４が端末装置３に適用される場合、少なくともＡ／Ｎが送信される場合と比較して、ＳＲのみが送信される場合には、割当パターン当たりの電力（割当電力）が２倍となる。これは、ＳＲのみの場合に割当パターン２が割り当てられないためである。そのため、基地局装置１は、ＳＲのみの送信が期待される場合と少なくともＡ／Ｎの送信が期待される場合とで、受信を期待する電力の変更が要求される。また、基地局装置１がＳＲ＋Ａ／Ｎの受信を期待する場合において、端末装置３がＡ／Ｎを送信しない場合、端末装置３がＡ／Ｎを送信する場合と比較して参照信号系列に割り当てられる電力が２倍となる。
【０１３９】
端末装置３は、割当方法４が適用される際において、割当方法２が適用される場合と同様の方法を用いて、送信電力を決定してもよい。
【０１４０】
構成方法１および構成方法２は、１ＳＣ−ＦＤＭＡシンボルでの構成が可能である。さらに、構成方法１または構成方法２に基づき生成された系列は、同一の系列を異なる周波数帯域にマッピングする（周波数ホッピング等）が適用されてもよい。ここで、周波数ホッピングが適用される系列は、厳密に同一の系列である必要はない。例えば、同一の情報を含む、異なる系列に対して周波数ホッピングが適用されてもよい。
【０１４１】
図１１は、本実施形態に係る基地局装置１のブロック構成の一例を示す概略図である。基地局装置１は、上位層（上位層制御情報通知部、上位層処理部）３０１、制御部（基地局制御部）３０２、コードワード生成部３０３、下りリンクサブフレーム生成部３０４、ＯＦＤＭ信号送信部（下りリンク送信部）３０６、送信アンテナ（基地局送信アンテナ）３０７、受信アンテナ（基地局受信アンテナ）３０８、ＳＣ−ＦＤＭＡ信号受信部（ＣＳＩ受信部）３０９、上りリンクサブフレーム処理部３１０を有する。下りリンクサブフレーム生成部３０４は、下りリンク参照信号生成部３０５を有する。また、上りリンクサブフレーム処理部３１０は、上りリンク制御情報抽出部（ＣＳＩ取得部）３１１を有する。
【０１４２】
図１２は、本実施形態に係る端末装置３のブロック構成の一例を示す概略図である。端末装置３は、受信アンテナ（端末受信アンテナ）４０１、ＯＦＤＭ信号受信部（下りリンク受信部）４０２、下りリンクサブフレーム処理部４０３、トランスポートブロック抽出部（データ抽出部）４０５、制御部（端末制御部）４０６、上位層（上位層制御情報取得部、上位層処理部）４０７、チャネル状態測定部（ＣＳＩ生成部）４０８、上りリンクサブフレーム生成部４０９、ＳＣ−ＦＤＭＡ信号送信部（ＵＣＩ送信部）４１１、送信アンテナ（端末送信アンテナ）４１２を有する。下りリンクサブフレーム処理部４０３は、下りリンク参照信号抽出部４０４を有する。また、上りリンクサブフレーム生成部４０９は、上りリンク制御情報生成部（ＵＣＩ生成部）４１０を有する。
【０１４３】
まず、図１１および図１２を用いて、下りリンクデータの送受信の流れについて説明する。基地局装置２において、制御部３０２は、下りリンクにおける変調方式および符号化率などを示すＭＣＳ（Ｍｏｄｕｌａｔｉｏｎ  ａｎｄ  Ｃｏｄｉｎｇ  Ｓｃｈｅｍｅ）、データ送信に用いるＲＢを示す下りリンクリソース割り当て、ＨＡＲＱの制御に用いる情報（リダンダンシーバージョン、ＨＡＲＱプロセス番号、新データ指標）を保持し、これらに基づいてコードワード生成部３０３や下りリンクサブフレーム生成部３０４を制御する。上位層３０１から送られてくる下りリンクデータ（下りリンクトランスポートブロックとも称す）は、コードワード生成部３０３において、制御部３０２の制御の下で、誤り訂正符号化やレートマッチング処理などの処理が施され、コードワードが生成される。１つのセルにおける１つのサブフレームにおいて、最大２つのコードワードが同時に送信される。下りリンクサブフレーム生成部３０４では、制御部３０２の指示により、下りリンクサブフレームが生成される。まず、コードワード生成部３０３において生成されたコー
ドワードは、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。また、変調シンボル系列は、一部のＲＢ内のＲＥにマッピングされ、プレコーディング処理によりアンテナポート毎の下りリンクサブフレームが生成される。このとき、上位層３０１から送られてくる送信データ系列は、上位層における制御情報（例えば専用（個別）ＲＲＣ（Ｒａｄｉｏ  Ｒｅｓｏｕｒｃｅ  Ｃｏｎｔｒｏｌ）シグナリング）である上位層制御情報を含む。また、下りリンク参照信号生成部３０５では、下りリンク参照信号が生成される。下りリンクサブフレーム生成部３０４は、制御部３０２の指示により、下りリンク参照信号を下りリンクサブフレーム内のＲＥにマッピングする。下りリンクサブフレーム生成部３０４で生成された下りリンクサブフレームは、ＯＦＤＭ信号送信部３０６においてＯＦＤＭ信号に変調され、送信アンテナ３０７を介して送信される。なお、ここではＯＦＤＭ信号送信部３０６と送信アンテナ３０７を一つずつ有する構成を例示しているが、複数のアンテナポートを用いて下りリンクサブフレームを送信する場合は、ＯＦＤＭ信号送信部３０６と送信アンテナ３０７とを複数有する構成であってもよい。また、下りリンクサブフレーム生成部３０４は、ＰＤＣＣＨやＥＰＤＣＣＨなどの物理層の下りリンク制御チャネルを生成して下りリンクサブフレーム内のＲＥにマッピングする能力も有することができる。複数の基地局装置（基地局装置１−１および基地局装置１−２）は、それぞれ個別の下りリンクサブフレームを送信する。
【０１４４】
端末装置３では、受信アンテナ４０１を介して、ＯＦＤＭ信号受信部４０２においてＯＦＤＭ信号が受信され、ＯＦＤＭ復調処理が施される。下りリンクサブフレーム処理部４０３は、まずＰＤＣＣＨやＥＰＤＣＣＨなどの物理層の下りリンク制御チャネルを検出する。より具体的には、下りリンクサブフレーム処理部４０３は、ＰＤＣＣＨやＥＰＤＣＣＨが割り当てられ得る領域においてＰＤＣＣＨやＥＰＤＣＣＨが送信されたものとしてデコードし、予め付加されているＣＲＣ（Ｃｙｃｌｉｃ  Ｒｅｄｕｎｄａｎｃｙ  Ｃｈｅｃｋ）ビットを確認する（ブラインドデコーディング）。すなわち、下りリンクサブフレーム処理部４０３は、ＰＤＣＣＨやＥＰＤＣＣＨをモニタリングする。ＣＲＣビットが予め基地局装置から割り当てられたＩＤ（Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）、ＳＰＳ−Ｃ−ＲＮＴＩ（Ｓｅｍｉ
Ｐｅｒｓｉｓｔｅｎｔ  Ｓｃｈｅｄｕｌｉｎｇ―Ｃ−ＲＮＴＩ）など１つの端末装置に対して１つ割り当てられる端末固有識別子、あるいはＴｅｍｐｏｒａｌｙ  Ｃ−ＲＮＴＩ）と一致する場合、下りリンクサブフレーム処理部４０３は、ＰＤＣＣＨあるいはＥＰＤＣＣＨを検出できたものと認識し、検出したＰＤＣＣＨあるいはＥＰＤＣＣＨに含まれる制御情報を用いてＰＤＳＣＨを取り出す。制御部４０６は、制御情報に基づく下りリンクにおける変調方式および符号化率などを示すＭＣＳ、下りリンクデータ送信に用いるＲＢを示す下りリンクリソース割り当て、ＨＡＲＱの制御に用いる情報を保持し、これらに基づいて下りリンクサブフレーム処理部４０３やトランスポートブロック抽出部４０５などを制御する。より具体的には、制御部４０６は、下りリンクサブフレーム生成部３０４におけるＲＥマッピング処理や変調処理に対応するＲＥデマッピング処理や復調処理などを行うように制御する。受信した下りリンクサブフレームから取り出されたＰＤＳＣＨは、トランスポートブロック抽出部４０５に送られる。また、下りリンクサブフレーム処理部４０３内の下りリンク参照信号抽出部４０４は、下りリンクサブフレームから下りリンク参照信号を取り出す。トランスポートブロック抽出部４０５では、コードワード生成部３０３におけるレートマッチング処理、誤り訂正符号化に対応するレートマッチング処理、誤り訂正復号化などが施され、トランスポートブロックが抽出され、上位層４０７に送られる。トランスポートブロックには、上位層制御情報が含まれており、上位層４０７は上位層制御情報に基づいて制御部４０６に必要な物理層パラメータを知らせる。なお、複数の基地局装置１（基地局装置１−１および基地局装置１−２）は、それぞれ個別の下りリンクサブフレームを送信しており、端末装置３ではこれらを受信するため、上述の処理を複数の基地局装置１毎の下りリンクサブフレームに対して、それぞれ行うようにしてもよ
い。このとき、端末装置３は複数の下りリンクサブフレームが複数の基地局装置２から送信されていると認識してもよいし、認識しなくてもよい。認識しない場合、端末装置３は、単に複数のセルにおいて複数の下りリンクサブフレームが送信されていると認識するだけでもよい。また、トランスポートブロック抽出部４０５では、トランスポートブロックが正しく検出できたか否かを判定し、判定結果は制御部４０６に送られる。
【０１４５】
次に、上りリンク信号の送受信の流れについて説明する。端末装置３では制御部４０６の指示の下で、下りリンク参照信号抽出部４０４で抽出された下りリンク参照信号がチャネル状態測定部４０８に送られ、チャネル状態測定部４０８においてチャネル状態および／または干渉が測定され、さらに測定されたチャネル状態および／または干渉に基づいて、ＣＳＩが算出される。また、制御部４０６は、トランスポートブロックが正しく検出できたか否かの判定結果に基づいて、上りリンク制御情報生成部４１０にＨＡＲＱ−ＡＣＫ（ＤＴＸ（未送信）、ＡＣＫ（検出成功）またはＮＡＣＫ（検出失敗））の生成および下りリンクサブフレームへのマッピングを指示する。端末装置３は、これらの処理を複数のセル毎の下りリンクサブフレームに対して、それぞれ行う。上りリンク制御情報生成部４１０では、算出されたＣＳＩおよび／またはＨＡＲＱ−ＡＣＫを含むＰＵＣＣＨが生成される。上りリンクサブフレーム生成部４０９では、上位層４０７から送られる上りリンクデータを含むＰＵＳＣＨと、上りリンク制御情報生成部４１０において生成されるＰＵＣＣＨとが上りリンクサブフレーム内のＲＢにマッピングされ、上りリンクサブフレームが生成される。上りリンクサブフレームは、ＳＣ−ＦＤＭＡ信号送信部４１１において、ＳＣ−ＦＤＭＡ変調が施されＳＣ−ＦＤＭＡ信号が生成され、送信アンテナ４１２を介して送信される。
【０１４６】
また、上記各実施形態では、プライマリセルやＰＳセルという用語を用いて説明したが、必ずしもこれらの用語を用いる必要はない。例えば、上記各実施形態におけるプライマリセルをマスターセルと呼ぶこともできるし、上記各実施形態におけるＰＳセルをプライマリセルと呼ぶこともできる。
【０１４７】
以下、本実施形態における、端末装置３および基地局装置１の種々の態様について説明する。
【０１４８】
（１）本実施形態の第１の態様は、端末装置３であって、１つのＳＣ−ＦＤＭＡシンボルに対応するＰＵＣＣＨで、上りリンク信号を送信する送信部と、前記ＰＵＣＣＨでの送信に対する送信電力を決定する制御部を備え、前記上りリンク信号は、第１の系列、および、第２の系列に基づき生成され、前記第１の系列は、第３の系列に対して第１のサイクリックシフトを適用することによって与えられ、前記第２の系列は、前記第３の系列に対して第２のサイクリックシフトを適用することによって与えられ、前記ＰＵＣＣＨでの送信に対する送信電力は、前記第１のサイクリックシフトの値と、前記第２のサイクリックシフトの値に基づいて与えられる。
【０１４９】
（２）本実施形態の第１の態様において、前記送信部は、前記上りリンク信号が送信される第１の周波数帯域とは異なる第２の周波数帯域において、前記上りリンク信号を送信する。
【０１５０】
（３）本実施形態の第２の態様は、基地局装置１であって、１つのＳＣ−ＦＤＭＡシンボルに対応するＰＵＣＣＨで、上りリンク信号を受信する受信部と、前記ＰＵＣＣＨに対する送信電力を端末装置に指示する制御部を備え、前記上りリンク信号は、第１の系列、および、第２の系列に基づき生成され、前記第１の系列は、第３の系列に対して第１のサイクリックシフトを適用することによって与えられ、前記第２の系列は、前記第３の系列に対して第２のサイクリックシフトを適用することによって与えられ、前記ＰＵＣＣＨで
の送信に対する送信電力は、前記第１のサイクリックシフトの値と、前記第２のサイクリックシフトの値に基づいて与えられる。
【０１５１】
（４）本実施形態の第２の態様において、前記受信部は、前記上りリンク信号が受信される第１の周波数帯域とは異なる第２の周波数帯域において、前記上りリンク信号を受信する。
【０１５２】
（５）本実施形態の第３の態様は、端末装置３に用いられる通信方法であって、第３の系列に対して第１のサイクリックシフトを適用することによって第１の系列を生成し、前記第３の系列に対して第２のサイクリックシフトを適用することによって第２の系列を生成し、第１の系列、および、第２の系列に基づき、上りリンク信号を生成し、前記第１のサイクリックシフトの値と、前記第２のサイクリックシフトの値に基づいて前記ＰＵＣＣＨでの送信電力を決定し、１つのＳＣ−ＦＤＭＡシンボルに対応するＰＵＣＣＨで、上りリンク信号を送信する。
【０１５３】
（６）本実施形態の第３の態様において、前記上りリンク信号が送信される第１の周波数帯域とは異なる第２の周波数帯域において、前記上りリンク信号を送信する。
【０１５４】
（７）本実施形態の第４の態様は、端末装置３に実装される集積回路であって、１つのＳＣ−ＦＤＭＡシンボルに対応するＰＵＣＣＨで、上りリンク信号を送信する送信回路と、前記ＰＵＣＣＨでの送信に対する送信電力を決定する制御回路を備え、前記上りリンク信号は、第１の系列、および、第２の系列に基づき生成され、前記第１の系列は、第３の系列に対して第１のサイクリックシフトを適用することによって与えられ、前記第２の系列は、前記第３の系列に対して第２のサイクリックシフトを適用することによって与えられ、前記ＰＵＣＣＨでの送信に対する送信電力は、前記第１のサイクリックシフトの値と、前記第２のサイクリックシフトの値に基づいて与えられる。
【０１５５】
（８）本実施形態の第４の態様において、前記送信回路は、前記上りリンク信号が送信される第１の周波数帯域とは異なる第２の周波数帯域において、前記上りリンク信号を送信する。
【０１５６】
（９）本実施形態の第５の態様は、端末装置３であって、１つのＳＣ−ＦＤＭＡシンボルに対応するＰＵＣＣＨで、上りリンク信号を送信する送信部と、前記ＰＵＣＣＨでの送信に対するサイクリックシフトを決定する制御部を備え、前記上りリンク信号は、前記第１の系列、および、第２の系列に基づき生成され、前記第１の系列は、第３の系列に対して第１のサイクリックシフトを適用することによって与えられ、前記第２の系列は、前記第３の系列に対して第２のサイクリックシフトを適用することによって与えられ、前記第１のサイクリックシフトの値、および、前記第２のサイクリックシフトの値は、前記ＰＵＣＣＨにおいて、ＳＲのみ、ＨＡＲＱ−ＡＣＫのみ、ＳＲおよびＨＡＲＱ−ＡＣＫのいずれが送信されるかに基づいて与えられる。
【０１５７】
（１０）本実施形態の第５の態様において、前記送信部は、前記上りリンク信号が送信される第１の周波数帯域とは異なる第２の周波数帯域において、前記上りリンク信号を送信する。
【０１５８】
（１１）本実施形態の第５の態様において、前記上りリンク信号は、前記ＳＲのみ、前記ＨＡＲＱ−ＡＣＫのみ、または、前記ＳＲおよび前記ＨＡＲＱ−ＡＣＫに基づいて生成される。
【０１５９】
（１２）本実施形態の第６の態様は、基地局装置１であって、１つのＳＣ−ＦＤＭＡシ
ンボルに対応するＰＵＣＣＨで、上りリンク信号を受信する受信部と、前記ＰＵＣＣＨに対するサイクリックシフトを端末装置に指示する制御部を備え、前記上りリンク信号は、前記第１の系列、および、第２の系列に基づき生成され、前記第１の系列は、第３の系列に対して第１のサイクリックシフトを適用することによって与えられ、前記第２の系列は、前記第３の系列に対して第２のサイクリックシフトを適用することによって与えられ、前記第１のサイクリックシフトの値、および、前記第２のサイクリックシフトの値は、前記ＰＵＣＣＨにおいて、ＳＲのみ、ＨＡＲＱ−ＡＣＫのみ、ＳＲおよびＨＡＲＱ−ＡＣＫのいずれが送信されるかに基づいて与えられる。
【０１６０】
（１３）本実施形態の第６の態様において、前記受信部は、前記上りリンク信号が受信される第１の周波数帯域とは異なる第２の周波数帯域において、前記上りリンク信号を受信する。
【０１６１】
（１４）本実施形態の第６の態様において、前記上りリンク信号は、前記ＳＲのみ、前記ＨＡＲＱ−ＡＣＫのみ、または、前記ＳＲおよび前記ＨＡＲＱ−ＡＣＫに基づいて生成される。
【０１６２】
（１５）本実施形態の第７の態様は、端末装置３の通信方法であって、前記ＰＵＣＣＨにおいて、ＳＲのみ、ＨＡＲＱ−ＡＣＫのみ、ＳＲおよびＨＡＲＱ−ＡＣＫのいずれが送信されるかに基づいて第１のサイクリックシフトの値、および、第２のサイクリックシフトの値を生成し、第３の系列に対して前記第１のサイクリックシフトを適用することによって第１の系列を生成し、前記第３の系列に対して前記第２のサイクリックシフトを適用することによって第２の系列を生成し、前記第１の系列、および、前記第２の系列に基づき上りリンク信号を生成し、１つのＳＣ−ＦＤＭＡシンボルに対応するＰＵＣＣＨで、前記上りリンク信号を送信する。
【０１６３】
（１６）本実施形態の第７の態様において、前記上りリンク信号が送信される第１の周波数帯域とは異なる第２の周波数帯域において、前記上りリンク信号を送信する。
【０１６４】
（１７）本実施形態の第７の態様において、前記ＳＲのみ、前記ＨＡＲＱ−ＡＣＫのみ、または、前記ＳＲおよび前記ＨＡＲＱ−ＡＣＫに基づいて前記上りリンク信号を生成する。
【０１６５】
（１８）本実施形態の第８の態様は、端末装置３に実装される集積回路であって、１つのＳＣ−ＦＤＭＡシンボルに対応するＰＵＣＣＨで、上りリンク信号を送信する送信回路と、前記ＰＵＣＣＨでの送信に対するサイクリックシフトを決定する制御回路を備え、前記上りリンク信号は、前記第１の系列、および、第２の系列に基づき生成され、前記第１の系列は、第３の系列に対して第１のサイクリックシフトを適用することによって与えられ、前記第２の系列は、前記第３の系列に対して第２のサイクリックシフトを適用することによって与えられ、前記第１のサイクリックシフトの値、および、前記第２のサイクリックシフトの値は、前記ＰＵＣＣＨにおいて、ＳＲのみ、ＨＡＲＱ−ＡＣＫのみ、ＳＲおよびＨＡＲＱ−ＡＣＫのいずれが送信されるかに基づいて与えられる。
【０１６６】
（１９）本実施形態の第８の態様において、前記送信回路は、前記上りリンク信号が送信される第１の周波数帯域とは異なる第２の周波数帯域において、前記上りリンク信号を送信する。
【０１６７】
（２０）本実施形態の第８の態様において、前記上りリンク信号は、前記ＳＲのみ、前記ＨＡＲＱ−ＡＣＫのみ、または、前記ＳＲおよび前記ＨＡＲＱ−ＡＣＫに基づいて生成される。
【０１６８】
本発明に関わる基地局装置１および端末装置３で動作するプログラムは、本発明に関わる上記実施形態の機能を実現するように、ＣＰＵ（Ｃｅｎｔｒａｌ  Ｐｒｏｃｅｓｓｉｎｇ  Ｕｎｉｔ）等を制御するプログラム（コンピュータを機能させるプログラム）であっても良い。そして、これら装置で取り扱われる情報は、その処理時に一時的にＲＡＭ（Ｒａｎｄｏｍ  Ａｃｃｅｓｓ  Ｍｅｍｏｒｙ）に蓄積され、その後、Ｆｌａｓｈ  ＲＯＭ（Ｒｅａｄ  Ｏｎｌｙ  Ｍｅｍｏｒｙ）などの各種ＲＯＭやＨＤＤ（Ｈａｒｄ  Ｄｉｓｋ  Ｄｒｉｖｅ）に格納され、必要に応じてＣＰＵによって読み出し、修正・書き込みが行われる。
【０１６９】
尚、上述した実施形態における端末装置３、基地局装置１−１あるいは基地局装置１−２の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１７０】
尚、ここでいう「コンピュータシステム」とは、端末装置３、又は基地局装置１−１あるいは基地局装置１−２に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１７１】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１７２】
また、上述した実施形態における基地局装置１は、複数の装置から構成される集合体（装置グループ）として実現することもできる。装置グループを構成する装置の各々は、上述した実施形態に関わる基地局装置１の各機能または各機能ブロックの一部、または、全部を備えてもよい。装置グループとして、基地局装置１の一通りの各機能または各機能ブロックを有していればよい。また、上述した実施形態に関わる端末装置３は、集合体としての基地局装置と通信することも可能である。
【０１７３】
また、上述した実施形態における基地局装置１−１あるいは基地局装置１−２は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ
Ａｃｃｅｓｓ  Ｎｅｔｗｏｒｋ）であってもよい。また、上述した実施形態における基地局装置２−１あるいは基地局装置２−２は、ｅＮｏｄｅＢに対する上位ノードの機能の一部または全部を有してもよい。
【０１７４】
また、上述した実施形態における端末装置３、基地局装置１−１あるいは基地局装置１−２の一部、又は全部を典型的には集積回路であるＬＳＩとして実現してもよいし、チップセットとして実現してもよい。端末装置３、基地局装置１−１あるいは基地局装置１−２の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１７５】
また、上述した実施形態では、端末装置もしくは通信装置の一例としてセルラー移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１７６】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１７７】
３０１  上位層
３０２  制御部
３０３  コードワード生成部
３０４  下りリンクサブフレーム生成部
３０５  下りリンク参照信号生成部
３０６  ＯＦＤＭ信号送信部
３０７  送信アンテナ
３０８  受信アンテナ
３０９  ＳＣ−ＦＤＭＡ信号受信部
３１０  上りリンクサブフレーム処理部
３１１  上りリンク制御情報抽出部
４０１  受信アンテナ
４０２  ＯＦＤＭ信号受信部
４０３  下りリンクサブフレーム処理部
４０４  下りリンク参照信号抽出部
４０５  トランスポートブロック抽出部
４０６  制御部
４０７  上位層
４０８  チャネル状態測定部
４０９  上りリンクサブフレーム生成部
４１０  上りリンク制御情報生成部
４１１  ＳＣ−ＦＤＭＡ信号送信部
４１２  送信アンテナ
１（１−１、１−２）  基地局装置
３（３Ａ、３Ｂ）  端末装置
１００  通信システム
【図１】
2019110357.tif 000009
【図２】
2019110357.tif 000010
【図３】
2019110357.tif 000011
【図４】
2019110357.tif 000012
【図５】
2019110357.tif 000013
【図６】
2019110357.tif 000014
【図７】
2019110357.tif 000015
【図８】
2019110357.tif 000016
【図９】
2019110357.tif 000017
【図１０】
2019110357.tif 000018
【図１１】
2019110357.tif 000019
【図１２】
2019110357.tif 000020